(57)【要約】  【課題】  回線の閉結されている相手側装置と通話可能な装置が１の装置から別の装置へ切り替えられる場合に、その別の外部装置へ相手側装置の情報を受信することができる電話装置を提供すること。  【解決手段】  親機の使用者により取次キーが押下された場合に、受信者によりテンキーが押下されれば（Ｓ４１：Ｙｅｓ）、テンキーで入力された番号に対応する子機へ発信者番号メモリの内容を送信する（Ｓ４３）。よって、相手側装置と通話可能な装置が親機からテンキーで入力された番号に対応する子機へ切り替えられる場合にも、その子機へ電話回線の閉結されている相手側装置の電話番号が送信されるので、その子機の使用者へ、かかる相手側装置の電話番号を報知することができるのである。  【選択図】        図６
2004350321.tif 000002
【特許請求の範囲】
【請求項１】
外部装置が接続される接続手段と、回線を介して交換機側から送られる相手側装置の識別情報を受信する受信手段と、その受信手段により受信された相手側装置の識別情報を記憶する受信記憶手段とを備えた電話装置において、
本電話装置又は前記接続手段に接続されている少なくとも１つの外部装置のうち、回線の閉結されている前記相手側装置と通話可能な装置が１の装置から別の外部装置へ切り替えられる場合に、前記受信記憶手段に記憶されている相手側装置の識別情報に基づく相手側装置の情報を、その別の外部装置へ送信する第１送信手段を備えていることを特徴とする電話装置。
【請求項２】
外部装置が接続される接続手段と、発呼時に発呼先である相手側装置の識別情報を記憶する発呼記憶手段とを備えた電話装置において、
本電話装置又は前記接続手段に接続されている少なくとも１つの外部装置のうち、回線の閉結されている前記相手側装置と通話可能な装置が１の装置から別の外部装置へ切り替えられる場合に、前記発呼記憶手段に記憶されている相手側装置の識別情報に基づく相手側装置の情報を、その別の外部装置へ送信する第２送信手段を備えていることを特徴とする電話装置。
【請求項３】
文字や記号を表示可能な表示手段と、外部装置が接続される接続手段と、回線を介して交換機側から送られる相手側装置の識別情報を受信する受信手段と、その受信手段により受信された相手側装置の識別情報を記憶する受信記憶手段とを備えた電話装置において、
回線の閉結されている前記相手側装置と通話可能な装置が、前記接続手段に接続されている外部装置から本電話装置へ切り替えられる場合に、前記受信記憶手段に記憶されている相手側装置の識別情報に基づく相手側装置の情報を、前記表示手段へ表示する表示制御手段を備えていることを特徴とする電話装置。
【請求項４】
文字や記号を表示可能な表示手段と、外部装置が接続される接続手段と、発呼時に発呼先である相手側装置の識別情報を記憶する発呼記憶手段とを備えた電話装置において、
回線の閉結されている前記相手側装置と通話可能な装置が、前記接続手段に接続されている外部装置から本電話装置へ切り替えられる場合に、前記発呼記憶手段に記憶されている相手側装置の識別情報に基づく相手側装置の情報を、前記表示手段へ表示する表示制御手段を備えていることを特徴とする電話装置。
【請求項５】
前記発呼記憶手段もしくは前記受信記憶手段に記憶される相手側装置の識別情報に基づく相手側装置の情報と、その相手側装置との通信に関する履歴情報と、本電話装置または前記接続手段に接続される外部装置のうち前記履歴情報の通信を行った装置とを、それぞれ対応つけて記憶する履歴記憶手段と、
その履歴記憶手段に記憶される履歴情報の送信要求を前記外部装置から受信した場合に、その送信要求の元である外部装置へ、その外部装置に対応して前記履歴記憶手段に記憶されている履歴情報を送信する履歴送信手段とを備えていることを特徴とする請求項１から４のいずれかに記載の電話装置。
【請求項６】
前記履歴記憶手段は、本電話装置または前記接続手段に接続される外部装置のうち、前記相手側装置と最後に通話可能であった装置に対応つけて前記履歴情報を記憶することを特徴とする請求項５記載の電話装置。
【請求項７】
前記履歴記憶手段は、本電話装置または前記接続手段に接続される外部装置のうち、前記相手側装置との通話可能な時間が所定時間を超える装置に対応つけて前記履歴情報を記憶することを特徴とする請求項５記載の電話装置。
【請求項８】
前記履歴記憶手段は、本電話装置または前記接続手段に接続される外部装置のうち、前記相手側装置との通話可能な時間が最長である装置に対応つけて前記履歴情報を記憶することを特徴とする請求項５記載の電話装置。
【請求項９】
前記接続手段に接続される外部装置のうち、相手側装置からの着呼に基づいて呼出音を鳴動する外部装置を指定する鳴動指定手段と、
その鳴動指定手段により指定された外部装置へ、前記受信手段により受信された相手側装置の識別情報に基づく相手側装置の情報を送信する第３送信手段とを備えていることを特徴する請求項１から８のいずれかに記載の電話装置。
【請求項１０】
外部装置が接続される接続手段と、回線を介して交換機側から送られる相手側装置の識別情報を受信する受信手段とを備えた電話装置において、
その受信手段により受信された相手側装置の識別情報に基づく相手側装置の情報と、その相手側装置との通信に関する履歴情報と、本電話装置または前記接続手段に接続される外部装置のうち前記履歴情報の通信を行った装置とを、それぞれ対応つけて記憶する履歴記憶手段と、
その履歴記憶手段に記憶される履歴情報の送信要求を前記外部装置から受信した場合に、その送信要求の元である外部装置へ、その外部装置に対応して前記履歴記憶手段に記憶されている履歴情報を送信する履歴送信手段とを備えていることを特徴とする電話装置。
【請求項１１】
外部装置が接続される接続手段と、発呼時に発呼先である相手側装置の識別情報を記憶する発呼記憶手段とを備えた電話装置において、
その発呼記憶手段に記憶される相手側装置の識別情報に基づく相手側装置の情報と、その相手側装置との通信に関する履歴情報と、本電話装置または前記接続手段に接続される外部装置のうち前記履歴情報の通信を行った装置とを、それぞれ対応つけて記憶する履歴記憶手段と、
その履歴記憶手段に記憶される履歴情報の送信要求を前記外部装置から受信した場合に、その送信要求の元である外部装置へ、その外部装置に対応して前記履歴記憶手段に記憶されている履歴情報を送信する履歴送信手段とを備えていることを特徴とする電話装置。
【請求項１２】
回線を介して交換機側から送られる相手側装置の識別情報を受信する受信手段と、外部装置が接続される接続手段と、その接続手段に接続される外部装置のうち、相手側装置からの着呼に基づいて呼出音を鳴動する外部装置を指定する鳴動指定手段とを備えた電話装置において、
その鳴動指定手段により指定された外部装置へ、前記受信手段により受信された相手側装置の識別情報に基づく相手側装置の情報を送信する第３送信手段を備えていることを特徴する電話装置。
【発明の詳細な説明】
【技術分野】
【０００１】
本発明は電話装置に関し、特に、回線を介して交換機側から送られる相手側装置の電話番号を受信することができる電話装置に関するものである。
【背景技術】
【０００２】
日本をはじめ、アメリカやイギリスなどでは、いわゆる発信電話番号表示サービス（「ナンバーディスプレイ」、「Caller ID」）が実用化されている。このサービスは、被呼側装置が当該サービスに加入している場合に、交換機から相手側装置（発呼側装置、発信者）の電話番号（発信者番号）を被呼側装置（電話装置）へ送信するサービスである。発信者番号が送信されるタイミングは、日本やイギリスでは、呼出信号の直前の無音区間であり、アメリカでは、最初の呼出信号と次の呼出信号との間の無音区間である。このため発信者番号は、被呼側装置の使用者によって被呼側装置の受話器が取り上げられる前に（受話器がオンフック状態のまま）被呼側装置によって受信される。よって、このサービスを利用すれば、被呼側装置の受話器を取り上げる前に、発信者番号を被呼側装置の表示器（例えば、液晶表示器（ＬＣＤ））へ表示して、被呼側装置の使用者に発信者を認識させることができる。
【０００３】
また、電話装置の中には、コードレス電話装置（子機）を接続することが可能なものがある。この子機と親機の電話装置とは無線通信などにより接続されており、子機と親機とを離れた場所に設置すれば、１つの電話回線を、子機と親機とのそれぞれの場所で、使用することができる。
【０００４】
このような子機の接続されている親機が上述した発信電話番号表示サービスに加入している場合には、相手側装置からの着呼に伴い、かかるサービスによって送られる発信者番号は親機のＬＣＤと子機のＬＣＤとの両方に表示される。親機の受話器が取り上げられ、親機側と電話回線が閉結された場合には、子機に表示されている発信者番号を消去するために、親機から子機へ発信者番号の表示を消去するコマンドが送信される。一方、子機の接続キーが押下され、子機側と電話回線が閉結された場合には、親機のＬＣＤに表示されていた発信者番号の表示が消去される。即ち、電話回線が閉結された際に通話可能となった装置以外の発信者番号の表示が消去されるのである。
【発明の開示】
【発明が解決しようとする課題】
【０００５】
しかしながら、相手側装置からの着呼に伴い、親機もしくは子機で電話回線を一旦、閉結した後、その電話を他の装置に取り次ぐ場合がある。この場合、相手側装置と電話回線が閉結された際に通話可能となった装置以外の装置では発信者番号の表示が消去されているので、取り次ぎ先の使用者は、受話器を取り上げたり接続キーを押下したりする前に、相手側装置の電話番号、即ち、発信者を認識することができないという問題点があった。
【０００６】
本発明は上述した問題点を解決するためになされたものであり、回線の閉結されている相手側装置と通話可能な装置が１の装置から別の外部装置へ切り替えられる場合に、その別の外部装置へ相手側装置の情報を送信することができる電話装置を提供することを目的としている。
【課題を解決するための手段】
【０００７】
この目的を達成するために請求項１記載の電話装置は、外部装置が接続される接続手段と、回線を介して交換機側から送られる相手側装置の識別情報を受信する受信手段と、その受信手段により受信された相手側装置の識別情報を記憶する受信記憶手段とを備えており、更に、本電話装置又は前記接続手段に接続されている少なくとも１つの外部装置のうち、回線の閉結されている前記相手側装置と通話可能な装置が１の装置から別の外部装置へ切り替えられる場合に、前記受信記憶手段に記憶されている相手側装置の識別情報に基づく相手側装置の情報を、その別の外部装置へ送信する第１送信手段を備えている。
【０００８】
請求項１記載の電話装置によれば、回線を介して交換機側から送られる相手側装置の識別情報が受信手段により受信されると、その受信された相手側装置の識別情報は受信記憶手段によって記憶される。ここで、本電話装置または接続手段に接続されている少なくとも１つの外部装置のうち、回線の閉結されている相手側装置と通話可能な装置が１の装置から別の外部装置へ切り替えられる場合には、受信記憶手段に記憶されている相手側装置の識別情報に基づく相手側装置の情報が、第１送信手段によって、その別の外部装置へ送信される。
【０００９】
請求項２記載の電話装置は、外部装置が接続される接続手段と、発呼時に発呼先である相手側装置の識別情報を記憶する発呼記憶手段とを備えており、更に、本電話装置又は前記接続手段に接続されている少なくとも１つの外部装置のうち、回線の閉結されている前記相手側装置と通話可能な装置が１の装置から別の外部装置へ切り替えられる場合に、前記発呼記憶手段に記憶されている相手側装置の識別情報に基づく相手側装置の情報を、その別の外部装置へ送信する第２送信手段を備えている。
【００１０】
請求項２記載の電話装置によれば、発呼時に発呼先である相手側装置の識別情報は発呼記憶手段によって記憶される。ここで、本電話装置または接続手段に接続されている少なくとも１つの外部装置のうち、回線の閉結されている相手側装置と通話可能な装置が１の装置から別の外部装置へ切り替えられる場合には、発呼記憶手段に記憶されている相手側装置の識別情報に基づく相手側装置の情報が、第２送信手段によって、その別の外部装置へ送信される。
【００１１】
請求項３記載の電話装置は、文字や記号を表示可能な表示手段と、外部装置が接続される接続手段と、回線を介して交換機側から送られる相手側装置の識別情報を受信する受信手段と、その受信手段により受信された相手側装置の識別情報を記憶する受信記憶手段とを備えており、更に、回線の閉結されている前記相手側装置と通話可能な装置が、前記接続手段に接続されている外部装置から本電話装置へ切り替えられる場合に、前記受信記憶手段に記憶されている相手側装置の識別情報に基づく相手側装置の情報を、前記表示手段へ表示する表示制御手段を備えている。
【００１２】
請求項３記載の電話装置によれば、回線を介して交換機側から送られる相手側装置の識別情報が受信手段により受信されると、その受信された相手側装置の識別情報は受信記憶手段により記憶される。ここで、回線の閉結されている相手側装置と通話可能な装置が、接続手段に接続されている外部装置から本電話装置へ切り替えられる場合には、表示制御手段によって、受信記憶手段に記憶されている相手側装置の識別情報に基づく相手側装置の情報が表示手段へ表示される。
【００１３】
請求項４記載の電話装置は、文字や記号を表示可能な表示手段と、外部装置が接続される接続手段と、発呼時に発呼先である相手側装置の識別情報を記憶する発呼記憶手段とを備えており、さらに、回線の閉結されている前記相手側装置と通話可能な装置が、前記接続手段に接続されている外部装置から本電話装置へ切り替えられる場合に、前記発呼記憶手段に記憶されている相手側装置の識別情報に基づく相手側装置の情報を、前記表示手段へ表示する表示制御手段を備えている。
【００１４】
請求項４記載の電話装置によれば、発呼時に発呼先である相手側装置の識別情報は発呼記憶手段によって記憶される。ここで、回線の閉結されている相手側装置と通話可能な装置が、接続手段に接続されている外部装置から本電話装置へ切り替えられる場合には、表示制御手段によって、発呼記憶手段に記憶されている相手側装置の識別情報に基づく相手側装置の情報が表示手段へ表示される。
【００１５】
請求項５記載の電話装置は、請求項１から４のいずれかに記載の電話装置において、前記発呼記憶手段もしくは前記受信記憶手段に記憶される相手側装置の識別情報に基づく相手側装置の情報と、その相手側装置との通信に関する履歴情報と、本電話装置または前記接続手段に接続される外部装置のうち前記履歴情報の通信を行った装置とを、それぞれ対応つけて記憶する履歴記憶手段と、その履歴記憶手段に記憶される履歴情報の送信要求を前記外部装置から受信した場合に、その送信要求の元である外部装置へ、その外部装置に対応して前記履歴記憶手段に記憶されている履歴情報を送信する履歴送信手段とを備えている。
【００１６】
請求項６記載の電話装置は、請求項５記載の電話装置において、前記履歴記憶手段は、本電話装置または前記接続手段に接続される外部装置のうち、前記相手側装置と最後に通話可能であった装置に対応つけて前記履歴情報を記憶するものである。
【００１７】
請求項７記載の電話装置は、請求項５記載の電話装置において、前記履歴記憶手段は、本電話装置または前記接続手段に接続される外部装置のうち、前記相手側装置との通話可能な時間が所定時間を超える装置に対応つけて前記履歴情報を記憶するものである。
【００１８】
請求項８記載の電話装置は、請求項５記載の電話装置において、前記履歴記憶手段は、本電話装置または前記接続手段に接続される外部装置のうち、前記相手側装置との通話可能な時間が最長である装置に対応つけて前記履歴情報を記憶するものである。
【００１９】
請求項９記載の電話装置は、請求項１から８のいずれかに記載の電話装置において、前記接続手段に接続される外部装置のうち、相手側装置からの着呼に基づいて呼出音を鳴動する外部装置を指定する鳴動指定手段と、その鳴動指定手段により指定された外部装置へ、前記受信手段により受信された相手側装置の識別情報に基づく相手側装置の情報を送信する第３送信手段とを備えている。
【００２０】
請求項１０記載の電話装置は、外部装置が接続される接続手段と、回線を介して交換機側から送られる相手側装置の識別情報を受信する受信手段とを備えており、更に、その受信手段により受信された相手側装置の識別情報に基づく相手側装置の情報と、その相手側装置との通信に関する履歴情報と、本電話装置または前記接続手段に接続される外部装置のうち前記履歴情報の通信を行った装置とを、それぞれ対応つけて記憶する履歴記憶手段と、その履歴記憶手段に記憶される履歴情報の送信要求を前記外部装置から受信した場合に、その送信要求の元である外部装置へ、その外部装置に対応して前記履歴記憶手段に記憶されている履歴情報を送信する履歴送信手段とを備えている。
【００２１】
請求項１０記載の電話装置によれば、回線を介して交換機側から送られる相手側装置の識別情報は受信手段によって受信される。その受信された相手側装置の識別情報に基づく相手側装置の情報と、その相手側装置との通信に関する履歴情報と、本電話装置または接続手段に接続される外部装置のうち履歴情報の通信を行った装置とが、履歴記憶手段によって、それぞれ対応つけて記憶される。ここで、その履歴記憶手段に記憶される履歴情報の送信要求を外部装置から受信した場合には、その送信要求の元である外部装置へ、その外部装置に対応して履歴記憶手段に記憶されている履歴情報が履歴送信手段により送信される。
【００２２】
請求項１１記載の電話装置は、外部装置が接続される接続手段と、発呼時に発呼先である相手側装置の識別情報を記憶する発呼記憶手段とを備えており、更に、その発呼記憶手段に記憶される相手側装置の識別情報に基づく相手側装置の情報と、その相手側装置との通信に関する履歴情報と、本電話装置または前記接続手段に接続される外部装置のうち前記履歴情報の通信を行った装置とを、それぞれ対応つけて記憶する履歴記憶手段と、その履歴記憶手段に記憶される履歴情報の送信要求を前記外部装置から受信した場合に、その送信要求の元である外部装置へ、その外部装置に対応して前記履歴記憶手段に記憶されている履歴情報を送信する履歴送信手段とを備えている。
【００２３】
請求項１１記載の電話装置によれば、発呼時に発呼先である相手側装置の識別情報は発呼記憶手段によって記憶される。その記憶された相手側装置の識別情報に基づく相手側装置の情報と、その相手側装置との通信に関する履歴情報と、本電話装置または接続手段に接続される外部装置のうち履歴情報の通信を行った装置とが、履歴記憶手段によって、それぞれ対応つけて記憶される。ここで、その履歴記憶手段に記憶される履歴情報の送信要求を外部装置から受信した場合には、その送信要求の元である外部装置へ、その外部装置に対応して履歴記憶手段に記憶されている履歴情報が履歴送信手段により送信される。
【００２４】
請求項１２記載の電話装置は、回線を介して交換機側から送られる相手側装置の識別情報を受信する受信手段と、外部装置が接続される接続手段と、その接続手段に接続される外部装置のうち、相手側装置からの着呼に基づいて呼出音を鳴動する外部装置を指定する鳴動指定手段とを備えており、更に、その鳴動指定手段により指定された外部装置へ、前記受信手段により受信された相手側装置の識別情報に基づく相手側装置の情報を送信する第３送信手段を備えている。
請求項１２記載の電話装置によれば、回線を介して交換機側から送られる相手側装置の識別情報は受信手段によって受信される。ここで、接続手段に接続される外部装置のうち、相手側装置からの着呼に基づいて呼出音を鳴動する外部装置が鳴動指定手段により指定されている場合には、その指定された外部装置へ、受信手段により受信された相手側装置の識別情報に基づく相手側装置の情報が第３送信手段によって送信される。
【発明の効果】
【００２５】
請求項１記載の電話装置によれば、本電話装置または接続手段に接続されている少なくとも１つの外部装置のうち、回線の閉結されている相手側装置と通話可能な装置が１の装置から別の外部装置へ切り替えられる場合には、受信記憶手段に記憶されている相手側装置の識別情報に基づく相手側装置の情報が、第１送信手段によって、その別の外部装置へ送信される。よって、回線の閉結されている相手側装置と通話可能な装置が１の装置から別の外部装置へ切り替えられる場合にも、その別の外部装置の使用者へ、かかる相手側装置の情報を報知することができるという効果がある。
請求項２記載の電話装置によれば、本電話装置または接続手段に接続されている少なくとも１つの外部装置のうち、回線の閉結されている相手側装置と通話可能な装置が１の装置から別の外部装置へ切り替えられる場合には、発呼記憶手段に記憶されている相手側装置の識別情報に基づく相手側装置の情報が、第２送信手段によって、その別の外部装置へ送信される。よって、回線の閉結されている相手側装置と通話可能な装置が１の装置から別の外部装置へ切り替えられる場合にも、その別の外部装置の使用者へ、かかる相手側装置の情報を報知することができるという効果がある。
請求項３記載の電話装置によれば、回線の閉結されている相手側装置と通話可能な装置が、接続手段に接続されている外部装置から本電話装置へ切り替えられる場合には、表示制御手段によって、受信記憶手段に記憶されている相手側装置の識別情報に基づく相手側装置の情報が表示手段へ表示される。よって、回線の閉結されている相手側装置と通話可能な装置が外部装置から本電話装置へ切り替えられる場合にも、本電話装置の使用者へ、かかる相手側装置の情報を報知することができるという効果がある。
請求項４記載の電話装置によれば、回線の閉結されている相手側装置と通話可能な装置が、接続手段に接続されている外部装置から本電話装置へ切り替えられる場合には、表示制御手段によって、発呼記憶手段に記憶されている相手側装置の識別情報に基づく相手側装置の情報が表示手段へ表示される。よって、回線の閉結されている相手側装置と通話可能な装置が外部装置から本電話装置へ切り替えられる場合にも、本電話装置の使用者へ、かかる相手側装置の情報を報知することができるという効果がある。
請求項５記載の電話装置によれば、請求項１から４のいずれかに記載の電話装置の奏する効果に加え、更に、履歴記憶手段に記憶される履歴情報の送信要求を外部装置から受信した場合には、その送信要求の元である外部装置へ、その外部装置に対応して履歴記憶手段に記憶されている履歴情報が履歴送信手段により送信される。このように、送信要求の元である外部装置に対応する履歴情報のみを、その外部装置へ送信することにより、その外部装置の使用者に対して、その外部装置のみに対応する履歴情報を全ての装置に対応する履歴情報の中から抽出させるという煩雑な操作を強いることなく、かかる外部装置に対応する履歴情報のみを認識させることができるという効果がある。また、送信要求の元である外部装置に対応する履歴情報のみを、その外部装置へ送信することによって、その外部装置とは別の装置に対応して記憶される履歴情報をかかる外部装置の使用者に対して秘密にすることができるという効果がある。
請求項６記載の電話装置によれば、請求項５記載の電話装置の奏する効果に加え、更に、履歴情報は、本電話装置または接続手段に接続される外部装置のうち、相手側装置と最後に通話可能であった装置に対応つけて記憶される。通常、最後に通話した装置の使用者が相手側装置の目的とする通話相手であるので、かかる通話相手の使用する装置に対して、履歴情報を記憶することができるという効果がある。
請求項７記載の電話装置によれば、請求項５記載の電話装置の奏する効果に加え、更に、履歴情報は、本電話装置または接続手段に接続される外部装置のうち、相手側装置との通話可能な時間が所定時間を超える装置に対応つけて記憶される。通常、通話時間の長い装置の使用者が相手側装置の目的とする通話相手であるので、かかる通話相手の使用する装置に対して、履歴情報を記憶することができるという効果がある。
請求項８記載の電話装置によれば、請求項５記載の電話装置の奏する効果に加え、更に、履歴情報は、本電話装置または接続手段に接続される外部装置のうち、相手側装置との通話可能な時間が最長である装置に対応つけて記憶される。通常、最も長く通話していた装置の使用者が相手側装置の目的とする通話相手であるので、かかる通話相手の使用する装置に対して、履歴情報を記憶することができるという効果がある。
請求項９記載の電話装置によれば、請求項１から８のいずれかに記載の電話装置の奏する効果に加え、更に、相手側装置からの着呼に基づいて呼出音を鳴動する外部装置が鳴動指定手段により指定されている場合には、その指定された外部装置へ、受信手段により受信された相手側装置の識別情報に基づく相手側装置の情報が第３送信手段によって送信される。よって、呼出音を鳴動しない外部装置には相手側装置の情報が報知されないので、電話装置の使用者のプライバシーを保護することができるという効果がある。
請求項１０または１１に記載の電話装置によれば、履歴記憶手段に記憶される履歴情報の送信要求を前記外部装置から受信した場合には、その送信要求の元である外部装置へ、その外部装置に対応して履歴記憶手段に記憶されている履歴情報が履歴送信手段により送信される。このように、送信要求の元である外部装置に対応する履歴情報のみを、その外部装置へ送信することにより、その外部装置の使用者に対して、その外部装置に対応する履歴情報のみを全ての装置に対応する履歴情報の中から抽出させるという煩雑な操作を強いることなく、かかる外部装置に対応する履歴情報のみを認識させることができるという効果がある。また、送信要求の元である外部装置に対応する履歴情報のみを、その外部装置へ送信することによって、他の装置に対応して記憶される履歴情報をかかる外部装置の使用者に対して秘密にすることができるという効果がある。
請求項１２記載の電話装置によれば、相手側装置からの着呼に基づいて呼出音を鳴動する外部装置が鳴動指定手段により指定されている場合には、その指定された外部装置へ、受信手段により受信された相手側装置の識別情報に基づく相手側装置の情報が第３送信手段によって送信される。よって、呼出音を鳴動しない外部装置には相手側装置の情報が報知されないので、電話装置の使用者のプライバシーを保護することができるという効果がある。
【発明を実施するための最良の形態】
【００２６】
以下、本発明の好ましい実施例について、添付図面を参照して説明する。図１は、コードレス電話装置（子機）Ａ，Ｂ，Ｃがそれぞれ無線通信により接続されているファクシミリ装置（親機）１の外観斜視図である。親機１の本体２の側部には、受話器３が取り付けられている。受話器３は、非通話時には本体２に設けられた図示しないフック上に置かれ、通話時にはフックから取り上げられて使用される。前者をオンフック状態、後者をオフフック状態と称している。
【００２７】
本体２の上面前部には複数のキー４ａを備えた操作パネル４が設けられ、その操作パネル４の左上端部には、取次キー４ｃが設けられている。取次キー４ｃは、電話回線の閉結されている相手側装置と通話可能な装置を、親機１から子機Ａ，Ｂ，Ｃの内のいずれか１の子機へ切り替える、即ち、相手側装置との通話を親機１から子機Ａ，Ｂ，Ｃの内のいずれか１の子機へ取り次ぐためのものである。
【００２８】
取次キー４ｃの右側には、親機１の使用者によって取次キー４ｃが押下された場合に、相手側装置と通話可能な子機を、子機Ａ，Ｂ，Ｃの内のいずれか１の子機に指定するためのテンキー４ｂが設けられている。テンキー４ｂで入力される番号は「１」、「２」、「３」の３種類であり、「１」は子機Ａに、「２」は子機Ｂに、「３」は子機Ｃにそれぞれ対応つけられている。
【００２９】
なお、子機に対応つけられる番号は、「１」、「２」及び「３」に限られるものでなく、例えば「７」、「８」及び「９」などの別の数字を用いても良いし、また、アルファベットが入力可能であれば「Ａ」、「Ｂ」及び「Ｃ」などのアルファベットを用いても良い。
【００３０】
操作パネル４の左後部には、液晶表示器（ＬＣＤ）５が設けられている。親機１は、この操作パネル４上に設けられた複数のキー４ａが押下されて操作されるとともに、その操作状態や操作手順などがＬＣＤ５へ表示される。
【００３１】
操作パネル４及びＬＣＤ５の後部には原稿挿入口６が設けられている。ファクシミリ送信される原稿は、この原稿挿入口６に原稿面を下向きにして挿入され、読み取りが行われた後に、本体２の前面であって操作パネル４の下方に設けられた原稿排出口７から排出される。原稿挿入口６の後部には記録紙ホルダ装着部９が設けられており、この記録紙ホルダ装着部９には、複数枚の記録紙を積層収納可能な記録紙ホルダ１０が着脱可能に取り付けられている。記録紙ホルダ１０から供給され印刷に使用された記録紙は、原稿排出口７の下方に設けられた記録紙排出口８から排出される。
【００３２】
本体２の一側面には、着呼があった場合、もしくは、取り次ぎがあった場合に呼出音の鳴動を行うためのスピーカ２８が設けられている。また、本体２には、親機１と各種信号の送受信を行うためのアンテナ１８（図２参照）が内蔵されている。親機１は、このアンテナ１８を介して、子機Ａ，Ｂ，Ｃとそれぞれ無線通信により接続されている。なお、親機１と子機Ａ，Ｂ，Ｃとの接続は、必ずしも無線通信に限られるものではなく、ケーブルなどを介して接続することも可能である。
【００３３】
図２は、親機（ファクシミリ装置）１の電気的構成を示したブロック図である。親機１には、ＣＰＵ１１、ＲＯＭ１２、ＥＥＰＲＯＭ１３、ＲＡＭ１４、画像メモリ１５、音声メモリ１６、検出回路３３、時計回路３４、音声ＬＳＩ１７、ネットワーク・コントロール・ユニット（以下「ＮＣＵ」と称す）１９、モデム２０、バッファ２１、スキャナ２２、符号化部２３、復号化部２４、プリンタ２５、操作パネル４、ＬＣＤ５およびアンプ２７が設けられ、これらはバスライン３０を介して互いに接続されている。
【００３４】
ＮＣＵ１９は回線制御を行うためのものであり、親機１はこのＮＣＵ１９を介して電話回線３１に接続されている。ＮＣＵ１９は、交換機２９から送信される呼出信号やＩＴＵ−Ｔ勧告Ｖ．２３に準拠したＭＯＤＥＭ信号などの各種信号を受信するとともに、操作パネル４上のキー４ａの操作に応じた発信時のダイヤル信号を交換機２９へ送信したり、更には通話時におけるアナログ音声信号の送受信を行うものである。
【００３５】
ここで、ＭＯＤＥＭ信号は、上述した発信電話番号表示サービスにより交換機２９から送られる信号であり、そのＭＯＤＥＭ信号のデータ中に相手側装置の電話番号（発信者番号）を示す情報が含まれている。なお、発信者が電話番号の送信を拒否している場合には、ＭＯＤＥＭ信号のデータ中に発信者番号を送信することができない旨の情報が含まれる。
【００３６】
親機１から各子機へ送信される各種信号のデータは、ＮＣＵ１９からアンテナ１８を介して送信され、一方、各子機から親機１へ送信される各種信号のデータは、アンテナ１８を介してＮＣＵ１９により受信される。これら送受信されるデータの媒体としては電波が用いられ、その電波の周波数は、子機を区別するために各子機ごとに異なった周波数に定められている。
【００３７】
相手側装置と通話可能な装置が１の装置から別の子機へ切り替えられる場合には、即ち、相手側装置との通話が１の装置から別の子機へ取り次がれる場合には、その別の子機へ後述する相手先番号メモリ１４ａの内容（相手側装置の電話番号）がＮＣＵ１９からアンテナ１８を介して送信される。よって、相手側装置との通話が１の装置から別の装置へ取り次がれる場合にも、取り次ぎ先の子機の使用者へ、かかる相手側装置の電話番号が報知される。
【００３８】
ＣＰＵ１１は、ＮＣＵ１９を介して送受信される各種信号に従って、バスライン３０により接続された各部を制御し、ファクシミリ動作や電話動作、即ち、データ通信を実行するものである。時計回路３４は時刻の計時を行うためのものであり、時計回路３４によって計時された時刻はＣＰＵ１１によって読み出され、各処理に使用される。ＲＯＭ１２は、この親機１で実行される制御プログラムなどを格納した書換不能なメモリであり、図４から図９までのフローチャートに示すプログラムは、このＲＯＭ１２内に格納されている。
【００３９】
ＥＥＰＲＯＭ１３は、書換可能な不揮発性のメモリであり、ＥＥＰＲＯＭ１３へ記憶されたデータは、親機１の電源オフ後も保持される。このＥＥＰＲＯＭ１３は、親機メモリ１３ａと、子機Ａメモリ１３ｂと、子機Ｂメモリ１３ｃと、子機Ｃメモリ１３ｄとを備えている。
【００４０】
親機メモリ１３ａは、相手側装置からの着呼もしくは着信があった場合に、その着呼もしくは着信の中で親機１に関係するものについて、その着呼もしくは着信のあった日時と、かかる相手側装置の電話番号（発信者番号）とを互いに対応つけて記憶するためのメモリである。図３（ａ）に、親機メモリ１３ａの構成を模式的に示す。
【００４１】
子機Ａメモリ１３ｂは、相手側装置からの着呼ならびに着信があった場合に、その着呼もしくは着信の中で子機Ａに関係するものについて、その着呼もしくは着信のあった日時と、かかる相手側装置の電話番号とを互いに対応つけて記憶するためのメモリである。図３（ｂ）に、子機Ａメモリ１３ｂの構成を模式的に示す。
【００４２】
子機Ｂメモリ１３ｃは、相手側装置からの着呼ならびに着信があった場合に、その着呼もしくは着信の中で子機Ｂに関係するものについて、その着呼もしくは着信のあった日時と、かかる相手側装置の電話番号とを互いに対応つけて記憶するためのメモリである。図３（ｃ）に、子機Ｂメモリ１３ｃの構成を模式的に示す。
【００４３】
子機Ｃメモリ１３ｄは、相手側装置からの着呼ならびに着信があった場合に、その着呼もしくは着信の中で子機Ｃに関係するものについて、その着呼もしくは着信のあった日時と、かかる相手側装置の電話番号とを互いに対応つけて記憶するためのメモリである。図３（ｄ）に、子機Ｃメモリ１３ｄの構成を模式的に示す。
【００４４】
ここで、親機メモリ１３ａと、子機Ａメモリ１３ｂと、子機Ｂメモリ１３ｃと、子機Ｃメモリ１３ｄとは、全て同様に構成されているので、以下、親機メモリ１３ａの構成についてのみ説明し、他のメモリ１３ｂ，１３ｃ，１３ｄについての説明は省略する。
【００４５】
図３（ａ）に示すように、親機メモリ１３ａには、着呼エリア１３ｅと着信エリア１３ｆとが設けられている。着呼エリア１３ｅは、相手側装置からの着呼があった場合に、その着呼の中で親機１に関係するものについて、その着呼のあった日時と、かかる相手側装置の電話番号とを互いに対応つけて記憶するためのエリアである。具体的には、相手側装置からの着呼があった場合に、後述する親機フラグ１４ｂがオンであれば、その着呼のあった日時と、かかる相手側装置の電話番号とが互いに対応つけられて着呼エリア１３ｅに記憶される。
【００４６】
一方、着信エリア１３ｆは、相手側装置からの着信があった場合に、その着信の中で親機１に関係するものについて、その着信のあった日時と、かかる相手側装置の電話番号とを互いに対応つけて記憶するためのエリアである。具体的には、相手側装置からの着信があり、その着信のあった相手側装置と最後に通話可能な装置が親機１である場合には、その着信のあった日時と、かかる相手側装置の電話番号とが互いに対応つけられて着信エリア１３ｆに記憶される。
【００４７】
図２に示すＲＡＭ１４は、親機１の各動作の実行時に各種のデータを一時的に記憶するためのメモリであり、相手先番号メモリ１４ａと、親機フラグ１４ｂと、子機Ａフラグ１４ｃと、子機Ｂフラグ１４ｄと、子機Ｃフラグ１４ｅと、コマンドフラグ１４ｆと、全履歴表示フラグ１４gとを備えている。
【００４８】
相手先番号メモリ１４ａは、電話回線の閉結前に着呼（呼び出し信号の着信）があった際に、従来の技術の欄で説明した発信電話番号表示サービスによって交換機２９から送信される相手側装置（発呼側装置、発信者）の電話番号（発信者番号）を一時的に記憶するためのメモリである。このため、着呼があっても交換機２９から相手側装置（発信者）の電話番号が送信されない場合には、相手先番号メモリ１４ａの内容を「０」クリアしている。従って、相手先番号メモリ１４ａの内容を調べて、「０」でなければ、相手先番号メモリ１４ａに記憶される電話番号の相手側装置（発信者）からの着呼であると判断でき、一方、相手先番号メモリ１４ａの内容が「０」であれば、着呼のあった相手側装置（発信者）の電話番号が交換機２９から送信されなかったと判断することができる。なお、通話中の相手側装置としては、親機１へ着呼のあった相手側装置のみでなく、親機１の発呼先装置を通話中の相手側装置として用いることも当然に可能である。この場合には、操作パネル４のキー４ａ操作によって入力される発呼先の電話番号を相手先番号メモリ１４ａに記憶する。
【００４９】
親機フラグ１４ｂは、相手側装置からの着呼があった場合に、その着呼に伴い親機１のスピーカ２８から呼出音を鳴動するか否かの設定と、上述した相手先番号メモリ１４ａの内容（即ち、着呼のあった相手側装置の電話番号）を親機１のＬＣＤ５へ表示するか否かの設定とを行うためのフラグである。
【００５０】
子機Ａフラグ１４ｃは、相手側装置からの着呼があった場合に、その着呼に伴い子機Ａのスピーカから呼出音を鳴動するか否かの設定と、相手先番号メモリ１４ａの内容を子機Ａへ送信するか否かの設定とを行うためのフラグである。
【００５１】
子機Ｂフラグ１４ｄは、相手側装置からの着呼があった場合に、その着呼に伴い子機Ｂのスピーカから呼出音を鳴動するか否かの設定と、相手先番号メモリ１４ａの内容を子機Ｂへ送信するか否かの設定とを行うためのフラグである。
【００５２】
子機Ｃフラグ１４ｅは、相手側装置からの着呼があった場合に、その着呼に伴い子機Ｃのスピーカから呼出音を鳴動するか否かの設定と、相手先番号メモリ１４ａの内容を子機Ｃへ送信するか否かの設定とを行うためのフラグである。
【００５３】
なお、親機フラグ１４ｂ、子機Ａフラグ１４ｃ、子機Ｂフラグ１４ｄ及び子機Ｃフラグ１４ｅのデータは（オン／オフ状態の切り替えは）、予め、親機１の使用者による操作パネル４上のキー４ａ操作によってそれぞれ設定される。
【００５４】
コマンドフラグ１４ｆは、相手側装置と通話可能な装置が親機１から子機Ａ，Ｂ，Ｃの内のいずれか１の子機へ切り替えられた場合に、即ち、相手側装置との通話が親機１から子機Ａ，Ｂ，Ｃの内のいずれか１の子機へ取り次がれた場合に、その取り次ぎ先の子機から電話回線の開放を要求する旨のコマンド（電話回線開放要求コマンド）を受信したか否かを記憶するためのフラグである。相手側装置との通話が親機１から子機Ａ，Ｂ，Ｃの内のいずれか１の子機へ取り次がれた場合に、その取り次ぎ先の子機から電話回線開放要求コマンドを受信すれば、コマンドフラグ１４ｆはオンされる。一方、かかる取り次ぎ先の子機から転送信号もしくは取次信号を受信すれば、コマンドフラグ１４ｆはオフされる。
【００５５】
ここで、取次信号は、電話回線の閉結されている相手側装置と通話可能な装置を１の装置から別の装置へ（即ち、親機１から１の子機へ、或いは、１の子機から親機１へ）切り替える際に、また、転送信号は、電話回線の閉結されている相手側装置と通話可能な装置を１の子機から別の子機へ（即ち、子機同士の間で）切り替える際に、親機１に対して送信される信号である。
【００５６】
後述する処理において、コマンドフラグ１４ｆがオンであれば、電話回線開放要求コマンドの送信元である子機に対応する着信エリアへ着信履歴が記憶される。具体的には、相手側装置から着呼のあった日時と、その相手側装置の電話番号とが互いに対応つけられて、かかる着信エリアへ記憶される。通常、最後に通話可能であった装置の使用者が相手側装置の目的とする通話相手であるので、かかる通話相手の使用する装置に対して、履歴情報を記憶するのである。
【００５７】
全履歴表示フラグ１４gは、子機Ａ，Ｂ，Ｃの内のいずれか１の子機から履歴情報の送信要求があった場合に、その送信要求の元である子機に対して、その子機に対応して記憶されている履歴情報のみを送信するか否かを記憶するためのフラグである。子機Ａ、子機Ｂおよび子機Ｃの全ての子機について同様の処理が行われるので、以下、子機Ａについてのみ説明する。
【００５８】
子機Ａから着呼履歴の送信を要求する旨のコマンド（着呼情報要求コマンド）を受信した場合に、全履歴表示フラグ１４gがオンであれば、親機１に記憶されている全ての着呼エリア１３ｅ，１３ｇ，１３ｉ，１３ｋの内容（着呼履歴）が子機Ａへ送信される。一方、子機Ａから着呼情報要求コマンドを受信した場合に、全履歴表示フラグ１４gがオフであれば、子機Ａに対応して親機１の着呼エリア１３ｇに記憶されている内容のみが子機Ａへ送信される。
【００５９】
このように、全履歴表示フラグ１４gがオフである場合には、着呼情報要求コマンドの送信元である子機Ａに対応する着呼エリア１３ｇの内容のみが、子機Ａに対して送信される。よって、子機Ａの使用者に対して、子機Ａに対応する着呼エリア１３ｇの内容のみを全ての装置（親機および全ての子機Ａ，Ｂ，Ｃ）に対応する着呼エリア１３ｅ，１３ｇ，１３ｉ，１３ｋの内容の中から抽出させるという煩雑な操作を強いることなく、子機Ａに対応する着呼エリア１３ｇの内容のみを認識させることができるのである。
【００６０】
また、着呼情報要求コマンドの送信元である子機Ａに対応する着呼エリア１３ｇの内容のみが子機Ａに対して送信されるので、子機Ａとは別の装置（親機１、子機Ｂおよび子機Ｃ）に対応する着呼エリア１３ｅ，１３ｉ，１３ｋの内容を子機Ａの使用者に対して秘密にすることができるのである。
【００６１】
更に、子機Ａから着信履歴の送信を要求する旨のコマンド（着信情報要求コマンド）を受信した場合について説明する。子機Ａから着信情報要求コマンドを受信した場合に、全履歴表示フラグ１４gがオンであれば、親機１に記憶されている全ての着信エリア１３ｆ，１３ｈ，１３ｊ，１３ｌの内容（着信履歴）が子機Ａに送信される。一方、子機Ａから着信情報要求コマンドを受信した場合に、全履歴表示フラグ１４gがオフであれば、子機Ａに対応して親機１に記憶されている着信エリア１３ｆの内容のみが子機Ａに送信されるのである。なお、全履歴表示フラグ１４gの内容は（オン／オフ状態の切り替え）、予め、親機１の使用者による操作パネル４上のキー４ａ操作によって設定される。
【００６２】
画像メモリ１５は、通信履歴、画像データ及び印刷のためのビットイメージを記憶するためのメモリであり、安価な大容量メモリであるダイナミックＲＡＭ（ＤＲＡＭ）により構成されている。受信された画像データは、一旦画像メモリ１５に記憶され、プリンタ２５によって記録紙に印刷された後に、この画像メモリ１５から消去される。一般に、画像データは大容量であるが、画像データが印刷されることを条件にその画像データを消去しているので、画像メモリ１５を有効に使用することができる。
【００６３】
音声メモリ１６は、相手側装置へ送出される応答メッセージや、相手側装置から送られてきた入来メッセージを記憶するためのメモリである。画像メモリ１５と同様に、安価な大容量メモリであるダイナミックＲＡＭ（ＤＲＡＭ）により構成されている。音声メモリ１６に記憶された入来メッセージは、操作パネル４を介して消去操作がなされることにより、或いは、電話回線に接続された他の装置から送られる消去コマンドを受信することによって、消去される。
【００６４】
音声ＬＳＩ１７は、ＮＣＵ１９によって受信されたアナログ音声信号をデジタル音声信号に変換する音声認識処理と、親機１の内部で生成されたデジタル音声信号をアナログ音声信号に変換して、ＮＣＵ１９やスピーカ２８（アンプ２７）へ出力する音声合成処理とを行うためのものである。
【００６５】
ここで、親機１は、ＮＣＵ１９を介して、電話回線３１に接続されている。この電話回線３１は、親機１側の交換機２９に接続され、この交換機２９は電話回線３２を介して、他の交換機に接続されている。なお、他の交換機は、更に、電話回線を介して相手側装置に接続されている。
【００６６】
検出回路３３は、交換機２９と親機１とを接続している電話回線３１の極性反転を検出するためのものである。相手側装置から親機１へ発呼されると、交換機２９は、最初に、親機１と交換機２９とを接続している電話回線３１の極性反転を行う。電話回線３１の極性は、通常、交換機２９側に設けられている直流電源（電池）（図示せず）によって、電話回線３１のＬ１側がマイナスに、Ｌ２側がプラスにされている。よって、電話回線３１の極性反転が行われると、電話回線３１のＬ１側がプラスに、Ｌ２側がマイナスに反転されるのである。極性反転後、交換機２９と親機１との間で、呼出信号やＭＯＤＥＭ信号（発信者番号）などの各種信号が送受信される。なお、電話回線３１の極性は、呼出信号に応じて親機１の使用者が受話器３を取り上げることにより、若しくは、子機Ａ，Ｂ，Ｃのの内のいずれか１の子機の使用者が接続キー（電話回線を閉結するためのキー）（図示せず）を押下することによって、Ｌ１側がマイナスに、Ｌ２側がプラスに復極され、実際の通話が開始される。
【００６７】
モデム２０は、画情報及び通信データを変調及び復調して伝送すると共に伝送制御用の各種手順信号を送受信するためのものであり、バッファ２１は、相手側装置との間で送受信される符号化された画情報を含むデータを一時的に記憶するためのものである。スキャナ２２は、原稿挿入口６に挿入された原稿を画像データとして読み取るためのものである。符号化部２３は、スキャナ２２により読み取られた画像データの符号化を行うものである。復号化部２４は、バッファ２１または画像メモリ１５に記憶された画像データを読み出して、これを復号化するものであり、復号化されたデータは、プリンタ２５により記録紙に印刷される。
【００６８】
操作パネル４は、操作者がこの親機１の設定等を行う場合に各種の操作を行うためのものであり、アンプ２７は、そのアンプ２７に接続されたスピーカ２８を鳴動して、呼出音や音声を出力するためのものである。
【００６９】
ＬＣＤ５は、操作パネル４上のキー４ａ操作に応じた操作状態や操作手順を表示したり、或いは、相手側装置の電話番号を表示したりするためのものである。このＬＣＤ５には、相手側装置からの着呼があった際に、前記した親機フラグ１４ｂがオンであれば、その着呼のあった相手側装置の電話番号（発信者番号）が表示される。一方、親機フラグ１４ｂがオフであれば、着呼があってもＬＣＤ５に発信者番号は表示されない。
【００７０】
また、親機フラグ１４ｂがオンである場合に相手側装置からの着呼があり、その着呼に伴い親機１で電話回線が閉結されると、発信者番号はＬＣＤ５へ表示されたままとなる。一方、かかる着呼に伴い他の装置（子機Ａ，Ｂ，Ｃのうちのいずれか１の子機）で電話回線が閉結されると、ＬＣＤ５に表示されていた発信者番号の表示は消去される。
【００７１】
更に、相手側装置と通話可能な装置が親機１から子機Ａ，Ｂ，Ｃのうちのいずれか１の子機へ切り替えられると、ＬＣＤ５に表示されていた発信者番号の表示は消去され、一方、、相手側装置から子機Ａ，Ｂ，Ｃのうちのいずれか１の子機１から親機１へ切り替えられると、ＬＣＤ５へ発信者番号が表示される。
【００７２】
次に、図４から図９までのフローチャートを参照して、上記のように構成されたファクシミリ装置（親機）１の動作について説明する。図４は、着信処理を示したフローチャートである。図４に示すように、親機１は、交換機２９によって極性反転が行われるのを待機し（Ｓ１：Ｎｏ）、極性反転が行われると（Ｓ１：Ｙｅｓ）、上述した発信電話番号表示サービスによって交換機２９から送られる発信者番号（相手側装置の電話番号）を受信したか否かを判断する（Ｓ２）。判断の結果、発信者番号を受信した場合には（Ｓ２：Ｙｅｓ）、発信者番号を相手先番号メモリ１４ａへ書き込む（Ｓ３）。子機Ａフラグ１４ｃ、子機Ｂフラグ１４ｄ、子機Ｃフラグ１４ｅの内、その内容がオンである子機には、親機１から相手先番号メモリ１４ａの内容を送信する設定がされている。よって、Ｓ３の処理における書き込み後、かかるフラグがオンである子機へ相手先番号メモリ１４ａの内容、即ち、着呼のあった相手側装置の電話番号を送信する（Ｓ４）。子機へ相手先番号メモリ１４ａの内容が送信されると、その相手先番号メモリ１４ａの内容が送信された子機のＬＣＤ（図示せず）へ着呼のあった相手側装置の電話番号が表示されるのである。
【００７３】
次に、親機フラグ１４ｂがオンであるか否かを確認する（Ｓ５）。親機フラグ１４ｂがオンである場合には（Ｓ５：ＯＮ）、相手先番号メモリ１４ａの内容をＬＣＤ５へ表示する設定がされているので、相手先番号メモリ１４ａの内容をＬＣＤへ表示する（Ｓ６）。一方、親機フラグ１４ｂがオフである場合には（Ｓ５：ＯＦＦ）、相手先番号メモリ１４ａの内容を親機１のＬＣＤ５へ表示する設定がされていないので、Ｓ６の処理をスキップする。
【００７４】
Ｓ２の処理において、親機１が発信電話番号表示サービスに加入していても、発信者が電話番号の送信を拒否している場合には、交換機２９から発信者番号は送信されないので、発信者番号を受信することができない。よって、かかる場合には（Ｓ２：Ｎｏ）、相手先番号メモリ１４ａの内容を「０」クリアして（Ｓ７）、発信者番号が受信できなかったことを記憶する。
【００７５】
次に、子機Ａフラグ１４ｃ、子機Ｂフラグ１４ｄ、子機Ｃフラグ１４ｅの内、その内容がオンである子機へ呼出信号を送信する（Ｓ８）。子機へ呼出信号が送信されると、その呼出信号が送信された子機のスピーカ（図示せず）から呼出音が鳴動されるのである。呼出信号の送信後、親機フラグ１４ｂがオンであるか否かを確認する（Ｓ９）。親機フラグ１４ｂがオンであれば（Ｓ９：ＯＮ）、親機１のスピーカ２８から呼出音を鳴動する（Ｓ１０）。一方、親機フラグ１４ｂがオフであれば（Ｓ９：ＯＦＦ）、親機１のスピーカ２８から呼出音を鳴動する設定がされていないので、Ｓ１０の処理をスキップする。
【００７６】
このように、親機フラグ１４ｂがオンである場合には、親機１のスピーカ２８から呼出音が鳴動されるとともに、親機１のＬＣＤ５へ相手先番号メモリ１４ａの内容（着呼のあった相手側装置の電話番号）が表示される。また、子機Ａフラグ１４ｃ、子機Ｂフラグ１４ｄ、子機Ｃフラグ１４ｅの内、その内容がオンである子機には、親機１から呼出信号が送信されるとともに、相手先番号メモリ１４ａの内容が送信される。即ち、呼出音を鳴動しないように設定されている装置については、相手先番号メモリ１４ａの内容（着呼のあった相手側装置の電話番号）が表示されないので、電話装置の使用者のプライバシーを保護することができるのである。
【００７７】
次に、親機フラグ１４ｂ、子機Ａフラグ１４ｃ、子機Ｂフラグ１４ｄ及び子機Ｃフラグ１４ｅの内、その内容がオンである装置に対応する着呼エリアへ日時と相手先番号メモリ１４ａの内容とを（着呼履歴）書き込む（Ｓ１１）。具体的には、親機フラグ１４ｂと子機Ａフラグ１４ｃとがオンであり、子機Ｂフラグ１４ｄと子機Ｃフラグ１４ｅとがオフである場合には、親機メモリ１３ａの着呼エリア１３ｅと子機Ａメモリ１３ｂの着呼エリア１３ｇとに、相手側装置からの着呼のあった日時と相手先番号メモリ１４ａの内容とを対応つけてそれぞれ記憶するのである。Ｓ１１の処理における書き込み後、図５に示す受信時処理を実行する（Ｓ１２）。
【００７８】
このように、親機フラグ１４ｂ、子機Ａフラグ１４ｃ、子機Ｂフラグ１４ｄ及び子機Ｃフラグ１４ｅの内、その内容がオンである装置に対応する着呼エリアへ相手側装置から着呼のあった日時と相手先番号メモリ１４ａの内容とが互いに対応つけられて記憶される。よって、呼出音が鳴動される装置にのみ対応つけて着呼履歴を記憶することができるのである。
【００７９】
図５の受信時処理は、相手側装置からの着呼に伴い、交換機２９から呼出信号を受信した場合の処理である。図５に示すように、まず、図４のＳ８の処理における呼出信号の送信に応答して、電話回線の閉結を要求する旨を示す電話回線閉結要求コマンドを子機Ａ〜Ｃのいずれか１の子機から受信したか否かを判断する（Ｓ２２）。判断の結果、電話回線閉結要求コマンドを受信しなければ（Ｓ２２：Ｎｏ）、親機１の受話器３がオフフック状態であるか否かを確認する（Ｓ２３）。受話器３が取り上げられず、オンフック状態のままであれば（Ｓ２３：Ｎｏ）、処理をＳ２２へ移行して、Ｓ２２及びＳ２３の処理を繰り返す。
【００８０】
一方、Ｓ２２の処理において、子機から電話回線閉結要求コマンド受信した場合には（Ｓ２２：Ｙｅｓ）、電話回線を閉結する（Ｓ２４）。閉結後、親機１のＬＣＤ５から発信者番号の表示を消去するとともに（Ｓ２５）、電話回線閉結要求コマンドの送信元である子機を除いた全ての子機に対して、発信者番号の表示を消去するコマンドを送信する（Ｓ２６）。
【００８１】
コマンドの送信後、取次信号もしくは転送信号を受信しなければ（Ｓ２７：Ｎｏ，Ｓ２８：Ｎｏ）、子機から電話回線の開放を要求する旨を示す電話回線開放要求コマンドを受信するまでの間（Ｓ２９：Ｎｏ）、Ｓ２７からＳ２９までの処理を繰り返す。この間、回線の閉結を要求した子機において電話処理が実行される。
【００８２】
ここで、前記したように、取次信号は、電話回線の閉結されている相手側装置と通話可能な装置を１の装置から別の装置へ切り替える際に、その別の装置から呼出音を鳴動させるための信号である。また、転送信号は、電話回線の閉結されている相手側装置と通話可能な装置を１の子機から別の子機へ切り替える際に、親機１に対して送信される信号である。
【００８３】
Ｓ２７の処理において取次信号を受信した場合（Ｓ２７：Ｙｅｓ）には、後述する取次信号受信時処理（図７参照）を実行し（Ｓ５１）、Ｓ２８の処理において転送信号を受信した場合には（Ｓ２８：Ｙｅｓ）、後述する転送信号受信時処理（図８参照）を実行する（Ｓ７１）。
【００８４】
Ｓ２３の処理において、親機１の受話器３が取り上げられ、オフフック状態となれば（Ｓ２３：Ｙｅｓ）、電話回線を閉結するとともに（Ｓ３０）、全子機Ａ，Ｂ，Ｃへ発信者番号の表示を消去するコマンドを送信する（Ｓ３１）。その後、親機１の電話処理を実行する（Ｓ３２）。電話処理の実行中に、取次キー４ｃが押下されなければ（Ｓ３３：Ｎｏ）、受話器３がフック上に置かれ、受話器３がオンフック状態となるまでの間（Ｓ３４：Ｎｏ）、Ｓ３２からＳ３４までの処理を繰り返す。
【００８５】
一方、Ｓ３３の処理において、取次キー４ｃが押下されれば（Ｓ３３：Ｙｅｓ）、後述する取次処理（図６参照）を実行する（Ｓ３５）。この取次処理を終了した後、コマンドフラグ１４ｆの内容を確認する（Ｓ３６）。なお、コマンドフラグ１４ｆは、後述する取次処理で設定されるものであり、子機から電話回線開放要求コマンドを受信したか否かを記憶するためのフラグである。
【００８６】
コマンドフラグ１４ｆがオフである場合には（Ｓ３６：ＯＦＦ）、この受信時処理を終了する。一方、コマンドフラグ１４ｆがオンである場合（Ｓ３６：ＯＮ）、Ｓ３４の処理において受話器３がオンフック状態である場合（Ｓ３４：Ｙｅｓ）、若しくは、Ｓ２９の処理において電話回線開放要求コマンドを受信した場合には（Ｓ２９：Ｙｅｓ）、電話回線を開放し（Ｓ３７）、最後に相手側装置と通話可能であった装置に対応する着信エリアへ着信履歴を書き込む（Ｓ３８）。
【００８７】
この履歴情報の書き込みは、かかる着信エリアへ、相手側装置から着信のあった日時とその相手側装置の電話番号とを互いに対応つけて記憶することにより行われる。具体的には、Ｓ３６でオンと判断された場合には、後述する図６のＳ４２の処理において取り次がれた先の子機に対応する着信エリアに着信履歴が書き込まれ、Ｓ３４の処理においてＹｅｓと判断された場合には、親機１の着信エリア１３ｆに着信履歴が書き込まれ、そして、Ｓ２９の処理においてＹｅｓと判断された場合には、Ｓ２２の処理において電話回線閉結要求のあった子機に対応する着信エリアにそれぞれ着信履歴が書き込まれる。
【００８８】
Ｓ３８の処理における着信履歴の書き込み後、この受信時処理を終了する。なお、受信時処理（Ｓ１２）の終了後は、処理を図４へ移行するとともに、図４の着信処理を終了する。
【００８９】
このように、電話回線の閉結されている相手側装置と最後に通話可能であった装置に対応する着信エリアへ着信履歴が記憶される。これは、通常、最後に通話した装置の使用者が相手側装置の目的とする通話相手であることを考慮しているからである。
【００９０】
次に、図６を参照して、取次処理（図５中のＳ３５）について説明する。図６の取次処理は、電話回線の閉結されている相手側装置と通話可能な装置を、親機１から子機Ａ，Ｂ，Ｃの内のいずれか１の子機へ切り替えるための処理である。図６に示すように、まず、相手側装置と通話可能な子機を指定するテンキー４ｂが入力されるまで待機し（Ｓ４１：Ｎｏ）、テンキー４ｂが押下されれば（Ｓ４１：Ｙｅｓ）、そのテンキー４ｂの押下によって入力された番号に対応する子機へ取次信号を送信する（Ｓ４２）。これにより、取次信号の送信先の子機において呼出音が鳴動される。
【００９１】
取次信号の送信後、テンキー４ｂで入力された番号に対応する子機へ相手先番号メモリ１４ａの内容を送信する（Ｓ４３）。送信後、呼出音に応答してかかる子機から電話回線閉結要求コマンドを受信するまで待機し（Ｓ４４：Ｎｏ）、電話回線閉結要求コマンドを受信すれば（Ｓ４４：Ｙｅｓ）、相手側装置と通話可能な装置を親機１からテンキー４ｂで入力された番号に対応する子機へ切り替える（Ｓ４５）。切り替え後、親機１のＬＣＤ５から発信者番号の表示を消去する（Ｓ４６）。消去後、取次信号もしくは転送信号を受信しなければ（Ｓ４７：Ｎｏ，Ｓ４８：Ｎｏ）、子機から電話回線開放要求コマンドを受信するまでの間（Ｓ４９：Ｎｏ）、Ｓ４７からＳ４９までの処理を繰り返す。この間、子機において電話処理が実行される。
【００９２】
一方、子機から電話回線開放要求コマンドを受信すれば（Ｓ４９：Ｙｅｓ）、このコマンドを受信したことを記憶するためにコマンドフラグ１４ｆをオンして（Ｓ５０）、この取次処理を終了する。
【００９３】
Ｓ４７の処理において、子機から取次信号を受信すれば（Ｓ４７：Ｙｅｓ）、後述する取次信号受信時処理（図７参照）を実行する（Ｓ５１）。取次信号受信時処理を終了した後、若しくは、Ｓ４８の処理において転送信号を受信した場合には（Ｓ４８：Ｙｅｓ）、コマンドフラグ１４ｆをオフして（Ｓ５２）、この取次処理を終了する。
【００９４】
このように、取次処理では、相手側装置と通話可能な装置が親機１からテンキー４ｂで入力された番号に対応する子機へ切り替えられる。かかる場合にも、その子機へ電話回線の閉結されている相手側装置の電話番号が送信されるので、子機の使用者へ、かかる相手側装置の電話番号を報知することができるのである。
【００９５】
次に、図７を参照して、取次信号受信時処理について説明する。図７の取次信号受信時処理は、相手側装置と通話可能な子機から取次信号を受信した場合に実行する処理である。即ち、図５のＳ２７の処理において取次信号を受信した場合（Ｓ２７：Ｙｅｓ）、図６のＳ４７の処理において取次信号を受信した場合（Ｓ４７：Ｙｅｓ）、若しくは、図８のＳ７７の処理において取次信号を受信した場合に（Ｓ７７：Ｙｅｓ）、実行する処理である。以下、図５に示す受信時処理と同一の部分には同一の符号を付してその説明は省略し、異なる部分のみを説明する。
【００９６】
図７に示すように、まず、相手先番号メモリ１４ａの内容をＬＣＤ５へ表示する（Ｓ６２）。表示後、受話器がオフフック状態であるか否かを確認する（Ｓ６３）。受話器が取り上げられず、オンフック状態のままであれば（Ｓ６３：Ｎｏ）、処理を６１へ移行して、Ｓ６１からＳ６３までの処理を繰り返す。一方、受話器が取り上げられ、オフフック状態となれば（Ｓ６３：Ｙｅｓ）、相手側装置と通話可能な装置を、取次信号の送信元である子機から親機１へ切り替える（Ｓ６４）。切り替え後、取次信号の送信元である子機へ発信者番号の表示を消去するコマンドを送信する（Ｓ６５）。
【００９７】
このように、相手側装置と通話可能な装置が子機から親機１へ切り替えられる場合にも、電話回線の閉結されている相手側装置の電話番号が親機１のＬＣＤ５へ表示されるので、親機１の使用者へ、かかる相手側装置の電話番号を報知することができるのである。
【００９８】
次に、図８を参照して、転送信号受信時処理について説明する。図８の転送信号受信時処理は、相手側装置と通話可能な子機から転送信号を受信した場合に実行する処理である。即ち、図５のＳ２９の処理において転送信号を受信した場合（Ｓ２９：Ｙｅｓ）、若しくは、図６のＳ４８の処理において転送信号を受信した場合に（Ｓ４８：Ｙｅｓ）、実行する処理である。
【００９９】
図８に示すように、まず、転送信号のデータが示す子機へ取次信号を送信する（Ｓ７２）。これにより、取次信号の送信先の子機において呼出音が鳴動されるのである。取次信号の送信後、転送信号のデータが示す子機へ相手先番号メモリ１４ａの内容を送信する（Ｓ７３）。送信後、呼出音に応答して転送信号のデータが示す子機から電話回線閉結要求コマンドを受信するまで待機し（Ｓ７４：Ｎｏ）、電話回線閉結要求コマンドを受信すれば（Ｓ７４：Ｙｅｓ）、相手側装置と通話可能な子機を、転送信号の送信元である子機から転送信号のデータが示す子機へ切り替える（Ｓ７５）。切り替え後、転送信号の送信元である子機のＬＣＤから発信者番号の表示を消去するコマンドをその子機へ送信する（Ｓ７６）。
【０１００】
このように、相手側装置と通話可能な子機が１の子機から別の子機へ切り替えられる場合にも、その別の子機へ電話回線の閉結されている相手側装置の電話番号が送信されるので、その別の子機の使用者へ、かかる相手側装置の電話番号を報知することができるのである。
【０１０１】
送信後、取次信号もしくは転送信号を受信しなければ（Ｓ７７：Ｎｏ，Ｓ７８：Ｎｏ）、電話回線開放要求コマンドを受信するまでの間（Ｓ７９：Ｎｏ）、Ｓ７７からＳ７９までの処理を繰り返す。この間、子機において電話処理が実行される。
【０１０２】
一方、Ｓ７８の処理において、新たに転送信号を受信した場合には（Ｓ７８：Ｙｅｓ）、処理をＳ７２へ移行して、その新たな転送信号のデータが示す子機へ取次信号を送信する（Ｓ７２）。また、Ｓ７７の処理において、取次信号を受信した場合には（Ｓ７７：Ｙｅｓ）、図７に示す取次信号受信時処理を実行する。取次信号受信時処理を終了すれば、この転送信号受信時処理を終了する。
【０１０３】
Ｓ７９の処理において、転送信号のデータが示す子機から電話回線開放要求コマンドを受信した場合には（Ｓ７９：Ｙｅｓ）、電話回線を開放する（Ｓ８０）。開放後、転送信号のデータが示す子機に対応する着信エリアへ着信履歴を書き込み（Ｓ８１）、この転送信号受信時処理を終了する。
【０１０４】
次に、図９を参照して、履歴情報送信処理について説明する。履歴情報送信処理は、子機から履歴情報を送信する旨のコマンドを受信した場合の処理である。図９に示すように、着呼情報要求コマンド若しくは着信情報要求コマンドを受信するまで待機し（Ｓ９１：Ｎｏ，Ｓ９２：Ｎｏ）、着呼情報要求コマンドを受信した場合には（Ｓ９１：Ｙｅｓ）、全履歴表示フラグ１４gがオンであるか否かを判断する（Ｓ９３）。判断の結果、全履歴表示フラグ１４gがオンである場合には（Ｓ９３：ＯＮ）、全ての着呼エリア１３ｅ，１３ｇ，１３ｉ，１３ｋの内容と全ての着信エリア１３ｆ，１３ｈ，１３ｊ，１３ｌの内容とをコマンド送信元の子機へ送信する（Ｓ９４）。一方、全履歴表示フラグ１４gがオフである場合には（Ｓ９３：ＯＦＦ）、コマンド送信元の子機のみに対応する着呼エリアの内容と着信エリアの内容とをコマンド送信元の子機へ送信する（Ｓ９５）。
【０１０５】
Ｓ９２の処理において、着信情報要求コマンドを受信した場合には（Ｓ９２：Ｙｅｓ）、全履歴表示フラグ１４gがオンであるか否かを判断する（Ｓ９６）。判断の結果、全履歴表示フラグ１４gがオンである場合には（Ｓ９６：ＯＮ）、全ての着信エリアの内容１３ｆ，１３ｈ，１３ｊ，１３ｌをコマンド送信元の子機へ送信する（Ｓ９７）。一方、コマンド送信元の子機のみに対応する着信エリアの内容をコマンド送信元の子機へ送信する（Ｓ９８）。
【０１０６】
このように、全履歴表示フラグ１４gがオフである場合には、着呼情報要求コマンドもしくは着信情報要求コマンドの送信元である子機に対応する履歴情報のみが、そのコマンド送信元の子機へ送信される。よって、その子機の使用者に対して、その子機のみに対応する履歴情報を全ての装置に対応する履歴情報の中から抽出させるという煩雑な操作を強いることなく、かかる子機に対応する履歴情報のみを認識させることができるのである。また、コマンド送信元である子機に対応する履歴情報のみを、その子機へ送信することによって、その子機とは別の装置に対応して記憶される履歴情報をかかる子機の使用者に対して秘密にすることができるのである。
【０１０７】
なお、本実施例において、請求項１から９に記載の受信記憶手段としてはＳ３の処理が、第１送信手段としてはＳ４３及びＳ７３の処理がそれぞれ該当する。請求項３から９に記載の表示制御手段としてはＳ６２の処理が該当する。請求項５及び１０に記載の履歴記憶手段としてはＳ１１、Ｓ３８及びＳ８１の処理が、履歴送信手段としてはＳ９５及びＳ９８の処理がそれぞれ該当する。請求項９及び１２に記載の鳴動指定手段としてはＳ８の処理が、第３送信手段としてはＳ４の処理がそれぞれ該当する。
【０１０８】
以上、実施例に基づき本発明を説明したが、本発明は上記実施例に何ら限定されるものではなく、本発明の趣旨を逸脱しない範囲内で種々の改良変形が可能であることは容易に推察できるものである。
【０１０９】
例えば、本実施例では、図４から図８に示すフローチャートにおいて、相手側装置からの着呼があった場合について記載したが、親機１及び子機Ａ，Ｂ，Ｃの内のいずれかの装置から相手側装置に対して発呼する場合についても、当然に可能である。この場合には、相手先番号メモリ１４ａに発呼先である相手側装置の電話番号を記憶しておき、取次時に、その相手先番号メモリ１４ａの内容を取り次ぎ先である装置に表示するように構成しても良いし、或いは、相手先番号メモリ１４ａの内容を取り次ぎ先の子機へ送信するように構成しても良い。
【０１１０】
本実施例では、図５から図８に示すフローチャートにおいて、発信電話番号表示サービスによって送られる相手側装置の電話番号を相手先番号メモリ１４ａに書き込み、その相手先番号メモリ１４ａ内容を相手側装置と通話可能な装置に表示していた。しかしながら、相手先番号メモリ１４ａに書き込まれる相手側装置の電話番号は、必ずしも、発信電話番号表示サービスによって交換機２９から送られる電話番号に限られるものではなく、通話中情報通知サービスによって交換機２９から送られる相手側装置の電話番号を用いても良い。ここで、通話中情報通知サービスとは、親機１がいわゆるキャッチホンサービスに加入している場合、通話中に新たにかけてきた相手側装置の電話番号（発信者番号）を交換機２９から親機１へ送信するサービスである。
【０１１１】
本実施例のファクシミリ装置（親機）１では、Ｓ３８およびＳ８１の処理において、電話回線の閉結されている相手側装置と最後に通話可能であった装置に対応する着信エリアへ着信履歴は書き込まれる。しかし、これに代えて、かかる相手側装置と通話可能な時間が所定時間を超える装置に対応する着信エリアへ着信履歴を書き込むようにしても良い。このように構成すれば、通常、所定時間を超えて通話していた装置の使用者が相手側装置の目的とする通話相手であるので、かかる通話相手の使用する装置に対して、着信履歴を記憶することができるのである。また、かかる相手側装置との通話時間が最長である装置に対応する着信エリアへ着信履歴を書き込むように構成しても良い。このように構成すれば、通常、最も長く通話していた装置の使用者が相手側装置の目的とする通話相手であるので、かかる通話相手の使用する装置に対して、履歴情報を記憶することができるのである。
【０１１２】
本実施例では、Ｓ４３及びＳ７３の処理において、相手先番号メモリ１４ａの内容、即ち、電話回線の閉結されている相手側装置の電話番号が取り次ぎ先である子機へ送信された。しかし、これに代えて、予め、相手側装置の電話番号に対応つけて、その相手側装置の名称を記憶しておき、その記憶された相手側装置の名称を相手先番号メモリ１４ａの内容に替えて取り次ぎ先である子機へ送信するように構成しても良い。
【０１１３】
本実施例では、Ｓ１１、Ｓ３８及びＳ８１の処理において、着呼履歴もしくは着信履歴として、電話回線の閉結されている相手側装置の電話番号が用いられた。しかし、これに代えて、予め、相手側装置の電話番号に対応つけて、その相手側装置の名称を記憶しておき、その記憶された相手側装置の名称を着呼履歴もしくは着信履歴として記憶するように構成しても良い。
【図面の簡単な説明】
【０１１４】
【図１】本発明の一実施例であるファクシミリ（親機）装置の斜視図である。
【図２】上記ファクシミリ装置（親機）の電気的構成を示したブロック図である。
【図３】ＥＥＰＲＯＭ１３内の各メモリの構成を模式的に示した図である。詳細には、（ａ）は親機メモリの構成を模式的に示した図であり、（ｂ）は子機Ａメモリの構成を模式的に示した図であり、（ｃ）は子機Ｂメモリの構成を模式的に示した図であり、（ｄ）は子機Ｃメモリの構成を模式的に示した図である。
【図４】着信処理を示したフローチャートである。
【図５】受信時処理を示したフローチャートである。
【図６】取次処理を示したフローチャートである。
【図７】取次信号受信時処理を示したフローチャートである。
【図８】転送信号受信時処理を示したフローチャートである。
【図９】履歴情報送信処理を示したフローチャートである。
【符号の説明】
【０１１５】
１            ファクシミリ装置（親機）（電話装置）
５            液晶表示器（ＬＣＤ）（表示手段）
１３          ＥＥＰＲＯＭ
１３ａ        親機メモリ（履歴記憶手段の一部）
１３ｂ        子機Ａメモリ（履歴記憶手段の一部）
１３ｃ        子機Ｂメモリ（履歴記憶手段の一部）
１３ｄ        子機Ｃメモリ（履歴記憶手段の一部）
１４          ＲＡＭ
１４ａ        相手先番号メモリ（受信記憶手段）
１４ｂ        親機フラグ
１４ｃ        子機Ａフラグ（鳴動指定手段の一部）
１４ｄ        子機Ｂフラグ（鳴動指定手段の一部）
１４ｅ        子機Ｃフラグ（鳴動指定手段の一部）
１８          アンテナ（接続手段）
１９          ネットワークコントロールユニット（ＮＣＵ）（受信手段の一部）
２０          モデム（受信手段の一部）
２１          バッファ（受信手段の一部）
２９          交換機
３１，３２    電話回線
Ａ，Ｂ，Ｃ    コードレス電話装置（子機）（外部装置）
【図１】
2004350321.tif 000003
【図２】
2004350321.tif 000004
【図３】
2004350321.tif 000005
【図４】
2004350321.tif 000006
【図５】
2004350321.tif 000007
【図６】
2004350321.tif 000008
【図７】
2004350321.tif 000009
【図８】
2004350321.tif 000010
【図９】
2004350321.tif 000011
【手続補正書】
【提出日】平成16年8月20日(2004.8.20)
【手続補正１】
【補正対象書類名】特許請求の範囲
【補正対象項目名】全文
【補正方法】変更
【補正の内容】
【特許請求の範囲】
【請求項１】
親機と、その親機に接続される子機とを備え、その親機が、回線を介して交換機側から送られる相手側装置の識別情報を受信する受信手段と、その受信手段により受信された相手側装置の識別情報を記憶する受信記憶手段とを有する電話装置において、
前記親機は、前記親機及び前記子機のうち相手側装置からの着呼に基づいて呼出音を鳴動する装置を指定する鳴動指定手段を有するとともに、前記受信記憶手段に記憶される相手側装置の識別情報に基づく相手側装置の情報と、その相手側装置からの着呼もしくは着信に関する履歴情報と、前記親機または前記子機のうち前記履歴情報の着呼もしくは着信のあった装置とをそれぞれ対応つけて記憶する履歴記憶手段と、その履歴記憶手段に記憶される履歴情報の送信要求を前記子機から受信した場合に、その送信要求の元である子機へ、その子機に対応して前記履歴記憶手段に記憶されている履歴情報を送信する履歴送信手段とを有するものであって、
前記履歴記憶手段は、前記鳴動指定手段により指定された装置に対応付けて前記着呼に関する履歴情報を記憶するものであり、前記相手側装置と通話可能であった前記親機または前記子機に対応つけて前記着信に関する履歴情報を記憶するものであることを特徴とする電話装置。
【請求項２】
前記履歴記憶手段は、前記親機または前記子機のうち、前記相手側装置と最後に通話可能であった装置に対応つけて前記着信に関する履歴情報を記憶することを特徴とする請求項１記載の電話装置。
【請求項３】
前記履歴記憶手段は、前記親機または前記子機のうち、前記相手側装置との通話可能な時間が所定時間を超える装置に対応つけて前記着信に関する履歴情報を記憶することを特徴とする請求項１記載の電話装置。
【請求項４】
前記履歴記憶手段は、前記親機または前記子機のうち、前記相手側装置との通話可能な時間が最長である装置に対応つけて前記着信に関する履歴情報を記憶することを特徴とする請求項１記載の電話装置。
【請求項５】
前記親機は、発呼時に発呼先である相手側装置の識別情報を記憶する発呼記憶手段を備え、前記履歴記憶手段は、その発呼記憶手段に記憶される相手側装置の識別情報に基づく相手側装置の情報と、その相手側装置との通信に関する履歴情報と、前記親機または前記子機のうち前記履歴情報の通信を行った装置とを、それぞれ対応つけて記憶することを特徴とする請求項１から４のいずれかに記載の電話装置。
【手続補正２】
【補正対象書類名】明細書
【補正対象項目名】全文
【補正方法】変更
【補正の内容】
【発明の詳細な説明】
【技術分野】
【０００１】
本発明は電話装置に関し、特に、回線を介して交換機側から送られる相手側装置の電話番号を受信することができる電話装置に関するものである。
【背景技術】
【０００２】
日本をはじめ、アメリカやイギリスなどでは、いわゆる発信電話番号表示サービス（「ナンバーディスプレイ」、「Caller ID」）が実用化されている。このサービスは、被呼側装置が当該サービスに加入している場合に、交換機から相手側装置（発呼側装置、発信者）の電話番号（発信者番号）を被呼側装置（電話装置）へ送信するサービスである。発信者番号が送信されるタイミングは、日本やイギリスでは、呼出信号の直前の無音区間であり、アメリカでは、最初の呼出信号と次の呼出信号との間の無音区間である。このため発信者番号は、被呼側装置の使用者によって被呼側装置の受話器が取り上げられる前に（受話器がオンフック状態のまま）被呼側装置によって受信される。よって、このサービスを利用すれば、被呼側装置の受話器を取り上げる前に、発信者番号を被呼側装置の表示器（例えば、液晶表示器（ＬＣＤ））へ表示して、被呼側装置の使用者に発信者を認識させることができる。
【０００３】
また、電話装置の中には、コードレス電話装置（子機）を接続することが可能なものがある。この子機と親機の電話装置とは無線通信などにより接続されており、子機と親機とを離れた場所に設置すれば、１つの電話回線を、子機と親機とのそれぞれの場所で、使用することができる。
【０００４】
このような子機の接続されている親機が上述した発信電話番号表示サービスに加入している場合には、相手側装置からの着呼に伴い、かかるサービスによって送られる発信者番号は親機のＬＣＤと子機のＬＣＤとの両方に表示される。親機の受話器が取り上げられ、親機側と電話回線が閉結された場合には、子機に表示されている発信者番号を消去するために、親機から子機へ発信者番号の表示を消去するコマンドが送信される。一方、子機の接続キーが押下され、子機側と電話回線が閉結された場合には、親機のＬＣＤに表示されていた発信者番号の表示が消去される。即ち、電話回線が閉結された際に通話可能となった装置以外の発信者番号の表示が消去されるのである。
また、上述した発信電話番号表示サービスによって送られる発信者番号に基づいて、相手側装置との通信に関する履歴情報を親機に記憶させることもできる。
【発明の開示】
【発明が解決しようとする課題】
【０００５】
一方、親機又は子機のうち、指定した装置については相手側装置からの着呼があっても、呼出音を鳴動させない電話装置が知られている。このような電話装置では、着呼時に呼出音が鳴動されない装置についても相手側装置からの着呼の履歴が記憶されてしまうという問題点があった。
【０００６】
本発明は上述した電話装置において、履歴情報の送信要求を子機から受信したことに基づき、送信要求の元である子機へ履歴情報を送信可能とした上で、送信要求の元である子機のみに対応する履歴情報を全ての装置に対応する履歴情報の中から抽出させるという煩雑な操作を強いることなく、かかる子機に対応する履歴情報のみを認識させることができる電話装置を提供することを目的としている。
【課題を解決するための手段】
【０００７】
この目的を達成するために請求項１記載の電話装置は、親機と、その親機に接続される子機とを備え、その親機が、回線を介して交換機側から送られる相手側装置の識別情報を受信する受信手段と、その受信手段により受信された相手側装置の識別情報を記憶する受信記憶手段とを有する電話装置において、前記親機は、前記親機及び前記子機のうち相手側装置からの着呼に基づいて呼出音を鳴動する装置を指定する鳴動指定手段を有するとともに、前記受信記憶手段に記憶される相手側装置の識別情報に基づく相手側装置の情報と、その相手側装置からの着呼もしくは着信に関する履歴情報と、前記親機または前記子機のうち前記履歴情報の着呼もしくは着信のあった装置とをそれぞれ対応つけて記憶する履歴記憶手段と、その履歴記憶手段に記憶される履歴情報の送信要求を前記子機から受信した場合に、その送信要求の元である子機へ、その子機に対応して前記履歴記憶手段に記憶されている履歴情報を送信する履歴送信手段とを有するものであって、前記履歴記憶手段は、前記鳴動指定手段により指定された装置に対応付けて前記着呼に関する履歴情報を記憶するものであり、前記相手側装置と通話可能であった前記親機または前記子機に対応つけて前記着信に関する履歴情報を記憶するものである。
【０００８】
請求項１記載の電話装置によれば、回線を介して交換機側から送られる相手側装置の識別情報が受信手段により受信されると、その受信された相手側装置の識別情報は受信記憶手段によって記憶される。そしてその受信された相手側装置の識別情報に基づく相手側装置の情報と、その相手側装置からの着呼もしくは着信に関する履歴情報と、前記親機または前記子機のうち前記履歴情報の着呼もしくは着信のあった装置とが、履歴記憶手段によって、それぞれ対応つけて記憶される。ここで、その履歴記憶手段に記憶される履歴情報の送信要求を子機から受信した場合には、その送信要求の元である子機へ、その子機に対応して履歴記憶手段に記憶されている履歴情報が履歴送信手段により送信される。
【０００９】
請求項２記載の電話装置は、請求項１記載の電話装置において、前記履歴記憶手段は、前記親機または前記子機のうち、前記相手側装置と最後に通話可能であった装置に対応つけて前記着信に関する履歴情報を記憶する。
【００１０】
【００１１】
請求項３記載の電話装置は、請求項１記載の電話装置において、前記履歴記憶手段は、前記親機または前記子機のうち、前記相手側装置との通話可能な時間が所定時間を超える装置に対応つけて前記着信に関する履歴情報を記憶する。
【００１２】
【００１３】
請求項４記載の電話装置は、請求項１記載の電話装置において、前記履歴記憶手段は、前記親機または前記子機のうち、前記相手側装置との通話可能な時間が最長である装置に対応つけて前記着信に関する履歴情報を記憶する。
【００１４】
【００１５】
【００１６】
【００１７】
【００１８】
【００１９】
【００２０】
【００２１】
【００２２】
請求項５記載の電話装置は、請求項１から４のいずれかに記載の電話装置において、発呼時に発呼先である相手側装置の識別情報を記憶する発呼記憶手段を備え、前記履歴記憶手段は、その発呼記憶手段に記憶される相手側装置の識別情報に基づく相手側装置の情報と、その相手側装置との通信に関する履歴情報と、前記親機または前記子機のうち前記履歴情報の通信を行った装置とを、それぞれ対応つけて記憶する。
【００２３】
請求項５記載の電話装置によれば、請求項１から４のいずれかに記載の電話装置と同様に作用する上、発呼時に発呼先である相手側装置の識別情報は発呼記憶手段によって記憶される。その記憶された相手側装置の識別情報に基づく相手側装置の情報と、その相手側装置との通信に関する履歴情報と、前記親機または前記子機のうち履歴情報の通信を行った装置とが、履歴記憶手段によって、それぞれ対応つけて記憶される。
【００２４】
【発明の効果】
【００２５】
請求項１記載の電話装置によれば、履歴記憶手段に記憶される履歴情報の送信要求を子機から受信した場合には、その送信要求の元である子機へ、その子機に対応して履歴記憶手段に記憶されている履歴情報が履歴送信手段により送信される。このように、送信要求の元である子機に対応する履歴情報のみを、その子機へ送信することにより、その子機の使用者に対して、その子機のみに対応する履歴情報を全ての装置に対応する履歴情報の中から抽出させるという煩雑な操作を強いることなく、かかる子機に対応する履歴情報のみを認識させることができるという効果がある。また、送信要求の元である子機に対応する履歴情報のみを、その子機へ送信することによって、その子機とは別の装置に対応して記憶される履歴情報をかかる子機の使用者に対して秘密にすることができるという効果がある。さらに、前記鳴動指定手段により指定された装置に対応付けて前記着呼に関する履歴情報を記憶するので、呼出音が鳴動される装置にのみ対応つけて着呼に関する履歴を記憶することができるという効果もある。
請求項２記載の電話装置によれば、請求項１記載の電話装置の奏する効果に加え、更に、着信に関する履歴情報は、前記親機または前記子機のうち、相手側装置と最後に通話可能であった装置に対応つけて記憶される。通常、最後に通話した装置の使用者が相手側装置の目的とする通話相手であるので、かかる通話相手の使用する装置に対して、着信に関する履歴情報を記憶することができるという効果がある。
請求項３記載の電話装置によれば、請求項１記載の電話装置の奏する効果に加え、更に、着信に関する履歴情報は、前記親機または前記子機のうち、相手側装置との通話可能な時間が所定時間を超える装置に対応つけて記憶される。通常、通話時間の長い装置の使用者が相手側装置の目的とする通話相手であるので、かかる通話相手の使用する装置に対して、履歴情報を記憶することができるという効果がある。
請求項４記載の電話装置によれば、請求項１記載の電話装置の奏する効果に加え、更に、着信に関する履歴情報は、前記親機または前記子機のうち、相手側装置との通話可能な時間が最長である装置に対応つけて記憶される。通常、最も長く通話していた装置の使用者が相手側装置の目的とする通話相手であるので、かかる通話相手の使用する装置に対して、履歴情報を記憶することができるという効果がある。
請求項５記載の電話装置によれば、請求項１から４のいずれかに記載の電話装置の奏する効果に加え、発呼先である相手側装置の識別情報に基づく相手側装置の情報と、その相手側装置との通信に関する履歴情報と、前記親機または前記子機のうち前記履歴情報の通信を行った装置とが、それぞれ対応つけて記憶され、履歴記憶手段に記憶される履歴情報の送信要求を前記子機から受信した場合には、その送信要求の元である子機へ、その子機に対応して履歴記憶手段に記憶されている履歴情報が履歴送信手段により送信され、その子機の使用者に対して、その子機に対応する履歴情報のみを全ての装置に対応する履歴情報の中から抽出させるという煩雑な操作を強いることなく、かかる子機に対応する履歴情報のみを認識させることができるという効果がある。また、送信要求の元である子機に対応する履歴情報のみを、その子機へ送信することによって、他の装置に対応して記憶される履歴情報をかかる子機の使用者に対して秘密にすることができるという効果がある。
【発明を実施するための最良の形態】
【００２６】
以下、本発明の好ましい実施例について、添付図面を参照して説明する。図１は、コードレス電話装置（子機）Ａ，Ｂ，Ｃがそれぞれ無線通信により接続されているファクシミリ装置（親機）１の外観斜視図である。親機１の本体２の側部には、受話器３が取り付けられている。受話器３は、非通話時には本体２に設けられた図示しないフック上に置かれ、通話時にはフックから取り上げられて使用される。前者をオンフック状態、後者をオフフック状態と称している。
【００２７】
本体２の上面前部には複数のキー４ａを備えた操作パネル４が設けられ、その操作パネル４の左上端部には、取次キー４ｃが設けられている。取次キー４ｃは、電話回線の閉結されている相手側装置と通話可能な装置を、親機１から子機Ａ，Ｂ，Ｃの内のいずれか１の子機へ切り替える、即ち、相手側装置との通話を親機１から子機Ａ，Ｂ，Ｃの内のいずれか１の子機へ取り次ぐためのものである。
【００２８】
取次キー４ｃの右側には、親機１の使用者によって取次キー４ｃが押下された場合に、相手側装置と通話可能な子機を、子機Ａ，Ｂ，Ｃの内のいずれか１の子機に指定するためのテンキー４ｂが設けられている。テンキー４ｂで入力される番号は「１」、「２」、「３」の３種類であり、「１」は子機Ａに、「２」は子機Ｂに、「３」は子機Ｃにそれぞれ対応つけられている。
【００２９】
なお、子機に対応つけられる番号は、「１」、「２」及び「３」に限られるものでなく、例えば「７」、「８」及び「９」などの別の数字を用いても良いし、また、アルファベットが入力可能であれば「Ａ」、「Ｂ」及び「Ｃ」などのアルファベットを用いても良い。
【００３０】
操作パネル４の左後部には、液晶表示器（ＬＣＤ）５が設けられている。親機１は、この操作パネル４上に設けられた複数のキー４ａが押下されて操作されるとともに、その操作状態や操作手順などがＬＣＤ５へ表示される。
【００３１】
操作パネル４及びＬＣＤ５の後部には原稿挿入口６が設けられている。ファクシミリ送信される原稿は、この原稿挿入口６に原稿面を下向きにして挿入され、読み取りが行われた後に、本体２の前面であって操作パネル４の下方に設けられた原稿排出口７から排出される。原稿挿入口６の後部には記録紙ホルダ装着部９が設けられており、この記録紙ホルダ装着部９には、複数枚の記録紙を積層収納可能な記録紙ホルダ１０が着脱可能に取り付けられている。記録紙ホルダ１０から供給され印刷に使用された記録紙は、原稿排出口７の下方に設けられた記録紙排出口８から排出される。
【００３２】
本体２の一側面には、着呼があった場合、もしくは、取り次ぎがあった場合に呼出音の鳴動を行うためのスピーカ２８が設けられている。また、本体２には、親機１と各種信号の送受信を行うためのアンテナ１８（図２参照）が内蔵されている。親機１は、このアンテナ１８を介して、子機Ａ，Ｂ，Ｃとそれぞれ無線通信により接続されている。なお、親機１と子機Ａ，Ｂ，Ｃとの接続は、必ずしも無線通信に限られるものではなく、ケーブルなどを介して接続することも可能である。
【００３３】
図２は、親機（ファクシミリ装置）１の電気的構成を示したブロック図である。親機１には、ＣＰＵ１１、ＲＯＭ１２、ＥＥＰＲＯＭ１３、ＲＡＭ１４、画像メモリ１５、音声メモリ１６、検出回路３３、時計回路３４、音声ＬＳＩ１７、ネットワーク・コントロール・ユニット（以下「ＮＣＵ」と称す）１９、モデム２０、バッファ２１、スキャナ２２、符号化部２３、復号化部２４、プリンタ２５、操作パネル４、ＬＣＤ５およびアンプ２７が設けられ、これらはバスライン３０を介して互いに接続されている。
【００３４】
ＮＣＵ１９は回線制御を行うためのものであり、親機１はこのＮＣＵ１９を介して電話回線３１に接続されている。ＮＣＵ１９は、交換機２９から送信される呼出信号やＩＴＵ−Ｔ勧告Ｖ．２３に準拠したＭＯＤＥＭ信号などの各種信号を受信するとともに、操作パネル４上のキー４ａの操作に応じた発信時のダイヤル信号を交換機２９へ送信したり、更には通話時におけるアナログ音声信号の送受信を行うものである。
【００３５】
ここで、ＭＯＤＥＭ信号は、上述した発信電話番号表示サービスにより交換機２９から送られる信号であり、そのＭＯＤＥＭ信号のデータ中に相手側装置の電話番号（発信者番号）を示す情報が含まれている。なお、発信者が電話番号の送信を拒否している場合には、ＭＯＤＥＭ信号のデータ中に発信者番号を送信することができない旨の情報が含まれる。
【００３６】
親機１から各子機へ送信される各種信号のデータは、ＮＣＵ１９からアンテナ１８を介して送信され、一方、各子機から親機１へ送信される各種信号のデータは、アンテナ１８を介してＮＣＵ１９により受信される。これら送受信されるデータの媒体としては電波が用いられ、その電波の周波数は、子機を区別するために各子機ごとに異なった周波数に定められている。
【００３７】
相手側装置と通話可能な装置が１の装置から別の子機へ切り替えられる場合には、即ち、相手側装置との通話が１の装置から別の子機へ取り次がれる場合には、その別の子機へ後述する相手先番号メモリ１４ａの内容（相手側装置の電話番号）がＮＣＵ１９からアンテナ１８を介して送信される。よって、相手側装置との通話が１の装置から別の装置へ取り次がれる場合にも、取り次ぎ先の子機の使用者へ、かかる相手側装置の電話番号が報知される。
【００３８】
ＣＰＵ１１は、ＮＣＵ１９を介して送受信される各種信号に従って、バスライン３０により接続された各部を制御し、ファクシミリ動作や電話動作、即ち、データ通信を実行するものである。時計回路３４は時刻の計時を行うためのものであり、時計回路３４によって計時された時刻はＣＰＵ１１によって読み出され、各処理に使用される。ＲＯＭ１２は、この親機１で実行される制御プログラムなどを格納した書換不能なメモリであり、図４から図９までのフローチャートに示すプログラムは、このＲＯＭ１２内に格納されている。
【００３９】
ＥＥＰＲＯＭ１３は、書換可能な不揮発性のメモリであり、ＥＥＰＲＯＭ１３へ記憶されたデータは、親機１の電源オフ後も保持される。このＥＥＰＲＯＭ１３は、親機メモリ１３ａと、子機Ａメモリ１３ｂと、子機Ｂメモリ１３ｃと、子機Ｃメモリ１３ｄとを備えている。
【００４０】
親機メモリ１３ａは、相手側装置からの着呼もしくは着信があった場合に、その着呼もしくは着信の中で親機１に関係するものについて、その着呼もしくは着信のあった日時と、かかる相手側装置の電話番号（発信者番号）とを互いに対応つけて記憶するためのメモリである。図３（ａ）に、親機メモリ１３ａの構成を模式的に示す。
【００４１】
子機Ａメモリ１３ｂは、相手側装置からの着呼もしくは着信があった場合に、その着呼もしくは着信の中で子機Ａに関係するものについて、その着呼もしくは着信のあった日時と、かかる相手側装置の電話番号とを互いに対応つけて記憶するためのメモリである。図３（ｂ）に、子機Ａメモリ１３ｂの構成を模式的に示す。
【００４２】
子機Ｂメモリ１３ｃは、相手側装置からの着呼もしくは着信があった場合に、その着呼もしくは着信の中で子機Ｂに関係するものについて、その着呼もしくは着信のあった日時と、かかる相手側装置の電話番号とを互いに対応つけて記憶するためのメモリである。図３（ｃ）に、子機Ｂメモリ１３ｃの構成を模式的に示す。
【００４３】
子機Ｃメモリ１３ｄは、相手側装置からの着呼もしくは着信があった場合に、その着呼もしくは着信の中で子機Ｃに関係するものについて、その着呼もしくは着信のあった日時と、かかる相手側装置の電話番号とを互いに対応つけて記憶するためのメモリである。図３（ｄ）に、子機Ｃメモリ１３ｄの構成を模式的に示す。
【００４４】
ここで、親機メモリ１３ａと、子機Ａメモリ１３ｂと、子機Ｂメモリ１３ｃと、子機Ｃメモリ１３ｄとは、全て同様に構成されているので、以下、親機メモリ１３ａの構成についてのみ説明し、他のメモリ１３ｂ，１３ｃ，１３ｄについての説明は省略する。
【００４５】
図３（ａ）に示すように、親機メモリ１３ａには、着呼エリア１３ｅと着信エリア１３ｆとが設けられている。着呼エリア１３ｅは、相手側装置からの着呼があった場合に、その着呼の中で親機１に関係するものについて、その着呼のあった日時と、かかる相手側装置の電話番号とを互いに対応つけて記憶するためのエリアである。具体的には、相手側装置からの着呼があった場合に、後述する親機フラグ１４ｂがオンであれば、その着呼のあった日時と、かかる相手側装置の電話番号とが互いに対応つけられて着呼エリア１３ｅに記憶される。
【００４６】
一方、着信エリア１３ｆは、相手側装置からの着信があった場合に、その着信の中で親機１に関係するものについて、その着信のあった日時と、かかる相手側装置の電話番号とを互いに対応つけて記憶するためのエリアである。具体的には、相手側装置からの着信があり、その着信のあった相手側装置と最後に通話可能な装置が親機１である場合には、その着信のあった日時と、かかる相手側装置の電話番号とが互いに対応つけられて着信エリア１３ｆに記憶される。
【００４７】
図２に示すＲＡＭ１４は、親機１の各動作の実行時に各種のデータを一時的に記憶するためのメモリであり、相手先番号メモリ１４ａと、親機フラグ１４ｂと、子機Ａフラグ１４ｃと、子機Ｂフラグ１４ｄと、子機Ｃフラグ１４ｅと、コマンドフラグ１４ｆと、全履歴表示フラグ１４gとを備えている。
【００４８】
相手先番号メモリ１４ａは、電話回線の閉結前に着呼（呼び出し信号の着信）があった際に、従来の技術の欄で説明した発信電話番号表示サービスによって交換機２９から送信される相手側装置（発呼側装置、発信者）の電話番号（発信者番号）を一時的に記憶するためのメモリである。このため、着呼があっても交換機２９から相手側装置（発信者）の電話番号が送信されない場合には、相手先番号メモリ１４ａの内容を「０」クリアしている。従って、相手先番号メモリ１４ａの内容を調べて、「０」でなければ、相手先番号メモリ１４ａに記憶される電話番号の相手側装置（発信者）からの着呼であると判断でき、一方、相手先番号メモリ１４ａの内容が「０」であれば、着呼のあった相手側装置（発信者）の電話番号が交換機２９から送信されなかったと判断することができる。なお、通話中の相手側装置としては、親機１へ着呼のあった相手側装置のみでなく、親機１の発呼先装置を通話中の相手側装置として用いることも当然に可能である。この場合には、操作パネル４のキー４ａ操作によって入力される発呼先の電話番号を相手先番号メモリ１４ａに記憶する。
【００４９】
親機フラグ１４ｂは、相手側装置からの着呼があった場合に、その着呼に伴い親機１のスピーカ２８から呼出音を鳴動するか否かの設定と、上述した相手先番号メモリ１４ａの内容（即ち、着呼のあった相手側装置の電話番号）を親機１のＬＣＤ５へ表示するか否かの設定とを行うためのフラグである。
【００５０】
子機Ａフラグ１４ｃは、相手側装置からの着呼があった場合に、その着呼に伴い子機Ａのスピーカから呼出音を鳴動するか否かの設定と、相手先番号メモリ１４ａの内容を子機Ａへ送信するか否かの設定とを行うためのフラグである。
【００５１】
子機Ｂフラグ１４ｄは、相手側装置からの着呼があった場合に、その着呼に伴い子機Ｂのスピーカから呼出音を鳴動するか否かの設定と、相手先番号メモリ１４ａの内容を子機Ｂへ送信するか否かの設定とを行うためのフラグである。
【００５２】
子機Ｃフラグ１４ｅは、相手側装置からの着呼があった場合に、その着呼に伴い子機Ｃのスピーカから呼出音を鳴動するか否かの設定と、相手先番号メモリ１４ａの内容を子機Ｃへ送信するか否かの設定とを行うためのフラグである。
【００５３】
なお、親機フラグ１４ｂ、子機Ａフラグ１４ｃ、子機Ｂフラグ１４ｄ及び子機Ｃフラグ１４ｅのデータは（オン／オフ状態の切り替えは）、予め、親機１の使用者による操作パネル４上のキー４ａ操作によってそれぞれ設定される。
【００５４】
コマンドフラグ１４ｆは、相手側装置と通話可能な装置が親機１から子機Ａ，Ｂ，Ｃの内のいずれか１の子機へ切り替えられた場合に、即ち、相手側装置との通話が親機１から子機Ａ，Ｂ，Ｃの内のいずれか１の子機へ取り次がれた場合に、その取り次ぎ先の子機から電話回線の開放を要求する旨のコマンド（電話回線開放要求コマンド）を受信したか否かを記憶するためのフラグである。相手側装置との通話が親機１から子機Ａ，Ｂ，Ｃの内のいずれか１の子機へ取り次がれた場合に、その取り次ぎ先の子機から電話回線開放要求コマンドを受信すれば、コマンドフラグ１４ｆはオンされる。一方、かかる取り次ぎ先の子機から転送信号もしくは取次信号を受信すれば、コマンドフラグ１４ｆはオフされる。
【００５５】
ここで、取次信号は、電話回線の閉結されている相手側装置と通話可能な装置を１の装置から別の装置へ（即ち、親機１から１の子機へ、或いは、１の子機から親機１へ）切り替える際に、また、転送信号は、電話回線の閉結されている相手側装置と通話可能な装置を１の子機から別の子機へ（即ち、子機同士の間で）切り替える際に、親機１に対して送信される信号である。
【００５６】
後述する処理において、コマンドフラグ１４ｆがオンであれば、電話回線開放要求コマンドの送信元である子機に対応する着信エリアへ着信履歴が記憶される。具体的には、相手側装置から着呼のあった日時と、その相手側装置の電話番号とが互いに対応つけられて、かかる着信エリアへ記憶される。通常、最後に通話可能であった装置の使用者が相手側装置の目的とする通話相手であるので、かかる通話相手の使用する装置に対して、履歴情報を記憶するのである。
【００５７】
全履歴表示フラグ１４gは、子機Ａ，Ｂ，Ｃの内のいずれか１の子機から履歴情報の送信要求があった場合に、その送信要求の元である子機に対して、その子機に対応して記憶されている履歴情報のみを送信するか否かを記憶するためのフラグである。子機Ａ、子機Ｂおよび子機Ｃの全ての子機について同様の処理が行われるので、以下、子機Ａについてのみ説明する。
【００５８】
子機Ａから着呼履歴の送信を要求する旨のコマンド（着呼情報要求コマンド）を受信した場合に、全履歴表示フラグ１４gがオンであれば、親機１に記憶されている全ての着呼エリア１３ｅ，１３ｇ，１３ｉ，１３ｋの内容（着呼履歴）と全ての着信エリア１３ｆ，１３ｈ，１３ｊ，１３ｌの内容とが子機Ａへ送信される。一方、子機Ａから着呼情報要求コマンドを受信した場合に、全履歴表示フラグ１４gがオフであれば、子機Ａに対応して親機１の着呼エリア１３ｇに記憶されている内容および子機Ａに対応して親機１の着信エリア１３ｈに記憶されている内容のみが子機Ａへ送信される。
【００５９】
このように、全履歴表示フラグ１４gがオフである場合には、着呼情報要求コマンドの送信元である子機Ａに対応する着呼エリア１３ｇの内容および子機Ａに対応する着信エリア１３ｈに記憶されている内容のみが、子機Ａに対して送信される。よって、子機Ａの使用者に対して、子機Ａに対応する着呼エリア１３ｇの内容のみを全ての装置（親機および全ての子機Ａ，Ｂ，Ｃ）に対応する着呼エリア１３ｅ，１３ｇ，１３ｉ，１３ｋの内容の中から抽出させるという煩雑な操作を強いることなく、子機Ａに対応する着呼エリア１３ｇの内容のみを認識させることができるのである。
【００６０】
また、着呼情報要求コマンドの送信元である子機Ａに対応する着呼エリア１３ｇの内容および子機Ａに対応する着信エリア１３ｈに記憶されている内容のみが子機Ａに対して送信されるので、子機Ａとは別の装置（親機１、子機Ｂおよび子機Ｃ）に対応する着呼エリア１３ｅ，１３ｉ，１３ｋおよび着信エリア１３ｆ，１３ｊ，１３ｌの内容を子機Ａの使用者に対して秘密にすることができるのである。
【００６１】
更に、子機Ａから着信履歴の送信を要求する旨のコマンド（着信情報要求コマンド）を受信した場合について説明する。子機Ａから着信情報要求コマンドを受信した場合に、全履歴表示フラグ１４gがオンであれば、親機１に記憶されている全ての着信エリア１３ｆ，１３ｈ，１３ｊ，１３ｌの内容（着信履歴）が子機Ａに送信される。一方、子機Ａから着信情報要求コマンドを受信した場合に、全履歴表示フラグ１４gがオフであれば、子機Ａに対応して親機１に記憶されている着信エリア１３ｆの内容のみが子機Ａに送信されるのである。なお、全履歴表示フラグ１４gの内容は（オン／オフ状態の切り替え）、予め、親機１の使用者による操作パネル４上のキー４ａ操作によって設定される。
【００６２】
画像メモリ１５は、通信履歴、画像データ及び印刷のためのビットイメージを記憶するためのメモリであり、安価な大容量メモリであるダイナミックＲＡＭ（ＤＲＡＭ）により構成されている。受信された画像データは、一旦画像メモリ１５に記憶され、プリンタ２５によって記録紙に印刷された後に、この画像メモリ１５から消去される。一般に、画像データは大容量であるが、画像データが印刷されることを条件にその画像データを消去しているので、画像メモリ１５を有効に使用することができる。
【００６３】
音声メモリ１６は、相手側装置へ送出される応答メッセージや、相手側装置から送られてきた入来メッセージを記憶するためのメモリである。画像メモリ１５と同様に、安価な大容量メモリであるダイナミックＲＡＭ（ＤＲＡＭ）により構成されている。音声メモリ１６に記憶された入来メッセージは、操作パネル４を介して消去操作がなされることにより、或いは、電話回線に接続された他の装置から送られる消去コマンドを受信することによって、消去される。
【００６４】
音声ＬＳＩ１７は、ＮＣＵ１９によって受信されたアナログ音声信号をデジタル音声信号に変換する音声認識処理と、親機１の内部で生成されたデジタル音声信号をアナログ音声信号に変換して、ＮＣＵ１９やスピーカ２８（アンプ２７）へ出力する音声合成処理とを行うためのものである。
【００６５】
ここで、親機１は、ＮＣＵ１９を介して、電話回線３１に接続されている。この電話回線３１は、親機１側の交換機２９に接続され、この交換機２９は電話回線３２を介して、他の交換機に接続されている。なお、他の交換機は、更に、電話回線を介して相手側装置に接続されている。
【００６６】
検出回路３３は、交換機２９と親機１とを接続している電話回線３１の極性反転を検出するためのものである。相手側装置から親機１へ発呼されると、交換機２９は、最初に、親機１と交換機２９とを接続している電話回線３１の極性反転を行う。電話回線３１の極性は、通常、交換機２９側に設けられている直流電源（電池）（図示せず）によって、電話回線３１のＬ１側がマイナスに、Ｌ２側がプラスにされている。よって、電話回線３１の極性反転が行われると、電話回線３１のＬ１側がプラスに、Ｌ２側がマイナスに反転されるのである。極性反転後、交換機２９と親機１との間で、呼出信号やＭＯＤＥＭ信号（発信者番号）などの各種信号が送受信される。なお、電話回線３１の極性は、呼出信号に応じて親機１の使用者が受話器３を取り上げることにより、若しくは、子機Ａ，Ｂ，Ｃのの内のいずれか１の子機の使用者が接続キー（電話回線を閉結するためのキー）（図示せず）を押下することによって、Ｌ１側がマイナスに、Ｌ２側がプラスに復極され、実際の通話が開始される。
【００６７】
モデム２０は、画情報及び通信データを変調及び復調して伝送すると共に伝送制御用の各種手順信号を送受信するためのものであり、バッファ２１は、相手側装置との間で送受信される符号化された画情報を含むデータを一時的に記憶するためのものである。スキャナ２２は、原稿挿入口６に挿入された原稿を画像データとして読み取るためのものである。符号化部２３は、スキャナ２２により読み取られた画像データの符号化を行うものである。復号化部２４は、バッファ２１または画像メモリ１５に記憶された画像データを読み出して、これを復号化するものであり、復号化されたデータは、プリンタ２５により記録紙に印刷される。
【００６８】
操作パネル４は、操作者がこの親機１の設定等を行う場合に各種の操作を行うためのものであり、アンプ２７は、そのアンプ２７に接続されたスピーカ２８を鳴動して、呼出音や音声を出力するためのものである。
【００６９】
ＬＣＤ５は、操作パネル４上のキー４ａ操作に応じた操作状態や操作手順を表示したり、或いは、相手側装置の電話番号を表示したりするためのものである。このＬＣＤ５には、相手側装置からの着呼があった際に、前記した親機フラグ１４ｂがオンであれば、その着呼のあった相手側装置の電話番号（発信者番号）が表示される。一方、親機フラグ１４ｂがオフであれば、着呼があってもＬＣＤ５に発信者番号は表示されない。
【００７０】
また、親機フラグ１４ｂがオンである場合に相手側装置からの着呼があり、その着呼に伴い親機１で電話回線が閉結されると、発信者番号はＬＣＤ５へ表示されたままとなる。一方、かかる着呼に伴い他の装置（子機Ａ，Ｂ，Ｃのうちのいずれか１の子機）で電話回線が閉結されると、ＬＣＤ５に表示されていた発信者番号の表示は消去される。
【００７１】
更に、相手側装置と通話可能な装置が親機１から子機Ａ，Ｂ，Ｃのうちのいずれか１の子機へ切り替えられると、ＬＣＤ５に表示されていた発信者番号の表示は消去され、一方、相手側装置から子機Ａ，Ｂ，Ｃのうちのいずれか１の子機１から親機１へ切り替えられると、ＬＣＤ５へ発信者番号が表示される。
【００７２】
次に、図４から図９までのフローチャートを参照して、上記のように構成されたファクシミリ装置（親機）１の動作について説明する。図４は、着信処理を示したフローチャートである。図４に示すように、親機１は、交換機２９によって極性反転が行われるのを待機し（Ｓ１：Ｎｏ）、極性反転が行われると（Ｓ１：Ｙｅｓ）、上述した発信電話番号表示サービスによって交換機２９から送られる発信者番号（相手側装置の電話番号）を受信したか否かを判断する（Ｓ２）。判断の結果、発信者番号を受信した場合には（Ｓ２：Ｙｅｓ）、発信者番号を相手先番号メモリ１４ａへ書き込む（Ｓ３）。子機Ａフラグ１４ｃ、子機Ｂフラグ１４ｄ、子機Ｃフラグ１４ｅの内、その内容がオンである子機には、親機１から相手先番号メモリ１４ａの内容を送信する設定がされている。よって、Ｓ３の処理における書き込み後、かかるフラグがオンである子機へ相手先番号メモリ１４ａの内容、即ち、着呼のあった相手側装置の電話番号を送信する（Ｓ４）。子機へ相手先番号メモリ１４ａの内容が送信されると、その相手先番号メモリ１４ａの内容が送信された子機のＬＣＤ（図示せず）へ着呼のあった相手側装置の電話番号が表示されるのである。
【００７３】
次に、親機フラグ１４ｂがオンであるか否かを確認する（Ｓ５）。親機フラグ１４ｂがオンである場合には（Ｓ５：ＯＮ）、相手先番号メモリ１４ａの内容をＬＣＤ５へ表示する設定がされているので、相手先番号メモリ１４ａの内容をＬＣＤへ表示する（Ｓ６）。一方、親機フラグ１４ｂがオフである場合には（Ｓ５：ＯＦＦ）、相手先番号メモリ１４ａの内容を親機１のＬＣＤ５へ表示する設定がされていないので、Ｓ６の処理をスキップする。
【００７４】
Ｓ２の処理において、親機１が発信電話番号表示サービスに加入していても、発信者が電話番号の送信を拒否している場合には、交換機２９から発信者番号は送信されないので、発信者番号を受信することができない。よって、かかる場合には（Ｓ２：Ｎｏ）、相手先番号メモリ１４ａの内容を「０」クリアして（Ｓ７）、発信者番号が受信できなかったことを記憶する。
【００７５】
次に、子機Ａフラグ１４ｃ、子機Ｂフラグ１４ｄ、子機Ｃフラグ１４ｅの内、その内容がオンである子機へ呼出信号を送信する（Ｓ８）。子機へ呼出信号が送信されると、その呼出信号が送信された子機のスピーカ（図示せず）から呼出音が鳴動されるのである。呼出信号の送信後、親機フラグ１４ｂがオンであるか否かを確認する（Ｓ９）。親機フラグ１４ｂがオンであれば（Ｓ９：ＯＮ）、親機１のスピーカ２８から呼出音を鳴動する（Ｓ１０）。一方、親機フラグ１４ｂがオフであれば（Ｓ９：ＯＦＦ）、親機１のスピーカ２８から呼出音を鳴動する設定がされていないので、Ｓ１０の処理をスキップする。
【００７６】
このように、親機フラグ１４ｂがオンである場合には、親機１のスピーカ２８から呼出音が鳴動されるとともに、親機１のＬＣＤ５へ相手先番号メモリ１４ａの内容（着呼のあった相手側装置の電話番号）が表示される。また、子機Ａフラグ１４ｃ、子機Ｂフラグ１４ｄ、子機Ｃフラグ１４ｅの内、その内容がオンである子機には、親機１から呼出信号が送信されるとともに、相手先番号メモリ１４ａの内容が送信される。即ち、呼出音を鳴動しないように設定されている装置については、相手先番号メモリ１４ａの内容（着呼のあった相手側装置の電話番号）が表示されないので、電話装置の使用者のプライバシーを保護することができるのである。
【００７７】
次に、親機フラグ１４ｂ、子機Ａフラグ１４ｃ、子機Ｂフラグ１４ｄ及び子機Ｃフラグ１４ｅの内、その内容がオンである装置に対応する着呼エリアへ日時と相手先番号メモリ１４ａの内容とを（着呼履歴）書き込む（Ｓ１１）。具体的には、親機フラグ１４ｂと子機Ａフラグ１４ｃとがオンであり、子機Ｂフラグ１４ｄと子機Ｃフラグ１４ｅとがオフである場合には、親機メモリ１３ａの着呼エリア１３ｅと子機Ａメモリ１３ｂの着呼エリア１３ｇとに、相手側装置からの着呼のあった日時と相手先番号メモリ１４ａの内容とを対応つけてそれぞれ記憶するのである。Ｓ１１の処理における書き込み後、図５に示す受信時処理を実行する（Ｓ１２）。
【００７８】
このように、親機フラグ１４ｂ、子機Ａフラグ１４ｃ、子機Ｂフラグ１４ｄ及び子機Ｃフラグ１４ｅの内、その内容がオンである装置に対応する着呼エリアへ相手側装置から着呼のあった日時と相手先番号メモリ１４ａの内容とが互いに対応つけられて記憶される。よって、呼出音が鳴動される装置にのみ対応つけて着呼履歴を記憶することができるのである。
【００７９】
図５の受信時処理は、相手側装置からの着呼に伴い、交換機２９から呼出信号を受信した場合の処理である。図５に示すように、まず、図４のＳ８の処理における呼出信号の送信に応答して、電話回線の閉結を要求する旨を示す電話回線閉結要求コマンドを子機Ａ〜Ｃのいずれか１の子機から受信したか否かを判断する（Ｓ２２）。判断の結果、電話回線閉結要求コマンドを受信しなければ（Ｓ２２：Ｎｏ）、親機１の受話器３がオフフック状態であるか否かを確認する（Ｓ２３）。受話器３が取り上げられず、オンフック状態のままであれば（Ｓ２３：Ｎｏ）、処理をＳ２２へ移行して、Ｓ２２及びＳ２３の処理を繰り返す。
【００８０】
一方、Ｓ２２の処理において、子機から電話回線閉結要求コマンド受信した場合には（Ｓ２２：Ｙｅｓ）、電話回線を閉結する（Ｓ２４）。閉結後、親機１のＬＣＤ５から発信者番号の表示を消去するとともに（Ｓ２５）、電話回線閉結要求コマンドの送信元である子機を除いた全ての子機に対して、発信者番号の表示を消去するコマンドを送信する（Ｓ２６）。
【００８１】
コマンドの送信後、取次信号もしくは転送信号を受信しなければ（Ｓ２７：Ｎｏ，Ｓ２８：Ｎｏ）、子機から電話回線の開放を要求する旨を示す電話回線開放要求コマンドを受信するまでの間（Ｓ２９：Ｎｏ）、Ｓ２７からＳ２９までの処理を繰り返す。この間、回線の閉結を要求した子機において電話処理が実行される。
【００８２】
ここで、前記したように、取次信号は、電話回線の閉結されている相手側装置と通話可能な装置を１の装置から別の装置へ切り替える際に、その別の装置から呼出音を鳴動させるための信号である。また、転送信号は、電話回線の閉結されている相手側装置と通話可能な装置を１の子機から別の子機へ切り替える際に、親機１に対して送信される信号である。
【００８３】
Ｓ２７の処理において取次信号を受信した場合（Ｓ２７：Ｙｅｓ）には、後述する取次信号受信時処理（図７参照）を実行し（Ｓ５１）、Ｓ２８の処理において転送信号を受信した場合には（Ｓ２８：Ｙｅｓ）、後述する転送信号受信時処理（図８参照）を実行する（Ｓ７１）。
【００８４】
Ｓ２３の処理において、親機１の受話器３が取り上げられ、オフフック状態となれば（Ｓ２３：Ｙｅｓ）、電話回線を閉結するとともに（Ｓ３０）、全子機Ａ，Ｂ，Ｃへ発信者番号の表示を消去するコマンドを送信する（Ｓ３１）。その後、親機１の電話処理を実行する（Ｓ３２）。電話処理の実行中に、取次キー４ｃが押下されなければ（Ｓ３３：Ｎｏ）、受話器３がフック上に置かれ、受話器３がオンフック状態となるまでの間（Ｓ３４：Ｎｏ）、Ｓ３２からＳ３４までの処理を繰り返す。
【００８５】
一方、Ｓ３３の処理において、取次キー４ｃが押下されれば（Ｓ３３：Ｙｅｓ）、後述する取次処理（図６参照）を実行する（Ｓ３５）。この取次処理を終了した後、コマンドフラグ１４ｆの内容を確認する（Ｓ３６）。なお、コマンドフラグ１４ｆは、後述する取次処理で設定されるものであり、子機から電話回線開放要求コマンドを受信したか否かを記憶するためのフラグである。
【００８６】
コマンドフラグ１４ｆがオフである場合には（Ｓ３６：ＯＦＦ）、この受信時処理を終了する。一方、コマンドフラグ１４ｆがオンである場合（Ｓ３６：ＯＮ）、Ｓ３４の処理において受話器３がオンフック状態である場合（Ｓ３４：Ｙｅｓ）、若しくは、Ｓ２９の処理において電話回線開放要求コマンドを受信した場合には（Ｓ２９：Ｙｅｓ）、電話回線を開放し（Ｓ３７）、最後に相手側装置と通話可能であった装置に対応する着信エリアへ着信履歴を書き込む（Ｓ３８）。
【００８７】
この履歴情報の書き込みは、かかる着信エリアへ、相手側装置から着信のあった日時とその相手側装置の電話番号とを互いに対応つけて記憶することにより行われる。具体的には、Ｓ３６でオンと判断された場合には、後述する図６のＳ４２の処理において取り次がれた先の子機に対応する着信エリアに着信履歴が書き込まれ、Ｓ３４の処理においてＹｅｓと判断された場合には、親機１の着信エリア１３ｆに着信履歴が書き込まれ、そして、Ｓ２９の処理においてＹｅｓと判断された場合には、Ｓ２２の処理において電話回線閉結要求のあった子機に対応する着信エリアにそれぞれ着信履歴が書き込まれる。
【００８８】
Ｓ３８の処理における着信履歴の書き込み後、この受信時処理を終了する。なお、受信時処理（Ｓ１２）の終了後は、処理を図４へ移行するとともに、図４の着信処理を終了する。
【００８９】
このように、電話回線の閉結されている相手側装置と最後に通話可能であった装置に対応する着信エリアへ着信履歴が記憶される。これは、通常、最後に通話した装置の使用者が相手側装置の目的とする通話相手であることを考慮しているからである。
【００９０】
次に、図６を参照して、取次処理（図５中のＳ３５）について説明する。図６の取次処理は、電話回線の閉結されている相手側装置と通話可能な装置を、親機１から子機Ａ，Ｂ，Ｃの内のいずれか１の子機へ切り替えるための処理である。図６に示すように、まず、相手側装置と通話可能な子機を指定するテンキー４ｂが入力されるまで待機し（Ｓ４１：Ｎｏ）、テンキー４ｂが押下されれば（Ｓ４１：Ｙｅｓ）、そのテンキー４ｂの押下によって入力された番号に対応する子機へ取次信号を送信する（Ｓ４２）。これにより、取次信号の送信先の子機において呼出音が鳴動される。
【００９１】
取次信号の送信後、テンキー４ｂで入力された番号に対応する子機へ相手先番号メモリ１４ａの内容を送信する（Ｓ４３）。送信後、呼出音に応答してかかる子機から電話回線閉結要求コマンドを受信するまで待機し（Ｓ４４：Ｎｏ）、電話回線閉結要求コマンドを受信すれば（Ｓ４４：Ｙｅｓ）、相手側装置と通話可能な装置を親機１からテンキー４ｂで入力された番号に対応する子機へ切り替える（Ｓ４５）。切り替え後、親機１のＬＣＤ５から発信者番号の表示を消去する（Ｓ４６）。消去後、取次信号もしくは転送信号を受信しなければ（Ｓ４７：Ｎｏ，Ｓ４８：Ｎｏ）、子機から電話回線開放要求コマンドを受信するまでの間（Ｓ４９：Ｎｏ）、Ｓ４７からＳ４９までの処理を繰り返す。この間、子機において電話処理が実行される。
【００９２】
一方、子機から電話回線開放要求コマンドを受信すれば（Ｓ４９：Ｙｅｓ）、このコマンドを受信したことを記憶するためにコマンドフラグ１４ｆをオンして（Ｓ５０）、この取次処理を終了する。
【００９３】
Ｓ４７の処理において、子機から取次信号を受信すれば（Ｓ４７：Ｙｅｓ）、後述する取次信号受信時処理（図７参照）を実行する（Ｓ５１）。取次信号受信時処理を終了した後、若しくは、Ｓ４８の処理において転送信号を受信した場合には（Ｓ４８：Ｙｅｓ）、コマンドフラグ１４ｆをオフして（Ｓ５２）、この取次処理を終了する。
【００９４】
このように、取次処理では、相手側装置と通話可能な装置が親機１からテンキー４ｂで入力された番号に対応する子機へ切り替えられる。かかる場合にも、その子機へ電話回線の閉結されている相手側装置の電話番号が送信されるので、子機の使用者へ、かかる相手側装置の電話番号を報知することができるのである。
【００９５】
次に、図７を参照して、取次信号受信時処理について説明する。図７の取次信号受信時処理は、相手側装置と通話可能な子機から取次信号を受信した場合に実行する処理である。即ち、図５のＳ２７の処理において取次信号を受信した場合（Ｓ２７：Ｙｅｓ）、図６のＳ４７の処理において取次信号を受信した場合（Ｓ４７：Ｙｅｓ）、若しくは、図８のＳ７７の処理において取次信号を受信した場合に（Ｓ７７：Ｙｅｓ）、実行する処理である。以下、図５に示す受信時処理と同一の部分には同一の符号を付してその説明は省略し、異なる部分のみを説明する。
【００９６】
図７に示すように、まず、相手先番号メモリ１４ａの内容をＬＣＤ５へ表示する（Ｓ６２）。表示後、受話器がオフフック状態であるか否かを確認する（Ｓ６３）。受話器が取り上げられず、オンフック状態のままであれば（Ｓ６３：Ｎｏ）、処理をＳ６２へ移行して、Ｓ６２からＳ６３までの処理を繰り返す。一方、受話器が取り上げられ、オフフック状態となれば（Ｓ６３：Ｙｅｓ）、相手側装置と通話可能な装置を、取次信号の送信元である子機から親機１へ切り替える（Ｓ６４）。切り替え後、取次信号の送信元である子機へ発信者番号の表示を消去するコマンドを送信する（Ｓ６５）。
【００９７】
このように、相手側装置と通話可能な装置が子機から親機１へ切り替えられる場合にも、電話回線の閉結されている相手側装置の電話番号が親機１のＬＣＤ５へ表示されるので、親機１の使用者へ、かかる相手側装置の電話番号を報知することができるのである。
【００９８】
次に、図８を参照して、転送信号受信時処理について説明する。図８の転送信号受信時処理は、相手側装置と通話可能な子機から転送信号を受信した場合に実行する処理である。即ち、図５のＳ２９の処理において転送信号を受信した場合（Ｓ２９：Ｙｅｓ）、若しくは、図６のＳ４８の処理において転送信号を受信した場合に（Ｓ４８：Ｙｅｓ）、実行する処理である。
【００９９】
図８に示すように、まず、転送信号のデータが示す子機へ取次信号を送信する（Ｓ７２）。これにより、取次信号の送信先の子機において呼出音が鳴動されるのである。取次信号の送信後、転送信号のデータが示す子機へ相手先番号メモリ１４ａの内容を送信する（Ｓ７３）。送信後、呼出音に応答して転送信号のデータが示す子機から電話回線閉結要求コマンドを受信するまで待機し（Ｓ７４：Ｎｏ）、電話回線閉結要求コマンドを受信すれば（Ｓ７４：Ｙｅｓ）、相手側装置と通話可能な子機を、転送信号の送信元である子機から転送信号のデータが示す子機へ切り替える（Ｓ７５）。切り替え後、転送信号の送信元である子機のＬＣＤから発信者番号の表示を消去するコマンドをその子機へ送信する（Ｓ７６）。
【０１００】
このように、相手側装置と通話可能な子機が１の子機から別の子機へ切り替えられる場合にも、その別の子機へ電話回線の閉結されている相手側装置の電話番号が送信されるので、その別の子機の使用者へ、かかる相手側装置の電話番号を報知することができるのである。
【０１０１】
送信後、取次信号もしくは転送信号を受信しなければ（Ｓ７７：Ｎｏ，Ｓ７８：Ｎｏ）、電話回線開放要求コマンドを受信するまでの間（Ｓ７９：Ｎｏ）、Ｓ７７からＳ７９までの処理を繰り返す。この間、子機において電話処理が実行される。
【０１０２】
一方、Ｓ７８の処理において、新たに転送信号を受信した場合には（Ｓ７８：Ｙｅｓ）、処理をＳ７２へ移行して、その新たな転送信号のデータが示す子機へ取次信号を送信する（Ｓ７２）。また、Ｓ７７の処理において、取次信号を受信した場合には（Ｓ７７：Ｙｅｓ）、図７に示す取次信号受信時処理を実行する。取次信号受信時処理を終了すれば、この転送信号受信時処理を終了する。
【０１０３】
Ｓ７９の処理において、転送信号のデータが示す子機から電話回線開放要求コマンドを受信した場合には（Ｓ７９：Ｙｅｓ）、電話回線を開放する（Ｓ８０）。開放後、転送信号のデータが示す子機に対応する着信エリアへ着信履歴を書き込み（Ｓ８１）、この転送信号受信時処理を終了する。
【０１０４】
次に、図９を参照して、履歴情報送信処理について説明する。履歴情報送信処理は、子機から履歴情報を送信する旨のコマンドを受信した場合の処理である。図９に示すように、着呼情報要求コマンド若しくは着信情報要求コマンドを受信するまで待機し（Ｓ９１：Ｎｏ，Ｓ９２：Ｎｏ）、着呼情報要求コマンドを受信した場合には（Ｓ９１：Ｙｅｓ）、全履歴表示フラグ１４gがオンであるか否かを判断する（Ｓ９３）。判断の結果、全履歴表示フラグ１４gがオンである場合には（Ｓ９３：ＯＮ）、全ての着呼エリア１３ｅ，１３ｇ，１３ｉ，１３ｋの内容と全ての着信エリア１３ｆ，１３ｈ，１３ｊ，１３ｌの内容とをコマンド送信元の子機へ送信する（Ｓ９４）。一方、全履歴表示フラグ１４gがオフである場合には（Ｓ９３：ＯＦＦ）、コマンド送信元の子機のみに対応する着呼エリアの内容と着信エリアの内容とをコマンド送信元の子機へ送信する（Ｓ９５）。
【０１０５】
Ｓ９２の処理において、着信情報要求コマンドを受信した場合には（Ｓ９２：Ｙｅｓ）、全履歴表示フラグ１４gがオンであるか否かを判断する（Ｓ９６）。判断の結果、全履歴表示フラグ１４gがオンである場合には（Ｓ９６：ＯＮ）、全ての着信エリアの内容１３ｆ，１３ｈ，１３ｊ，１３ｌをコマンド送信元の子機へ送信する（Ｓ９７）。一方、コマンド送信元の子機のみに対応する着信エリアの内容をコマンド送信元の子機へ送信する（Ｓ９８）。
【０１０６】
このように、全履歴表示フラグ１４gがオフである場合には、着呼情報要求コマンドもしくは着信情報要求コマンドの送信元である子機に対応する履歴情報のみが、そのコマンド送信元の子機へ送信される。よって、その子機の使用者に対して、その子機のみに対応する履歴情報を全ての装置に対応する履歴情報の中から抽出させるという煩雑な操作を強いることなく、かかる子機に対応する履歴情報のみを認識させることができるのである。また、コマンド送信元である子機に対応する履歴情報のみを、その子機へ送信することによって、その子機とは別の装置に対応して記憶される履歴情報をかかる子機の使用者に対して秘密にすることができるのである。
【０１０７】
なお、本実施例において、請求項１から５に記載の受信記憶手段としてはＳ３の処理が、履歴送信手段としてはＳ９５及びＳ９８の処理がそれぞれ該当する。
【０１０８】
以上、実施例に基づき本発明を説明したが、本発明は上記実施例に何ら限定されるものではなく、本発明の趣旨を逸脱しない範囲内で種々の改良変形が可能であることは容易に推察できるものである。
【０１０９】
例えば、本実施例では、図４から図８に示すフローチャートにおいて、相手側装置からの着呼があった場合について記載したが、親機１及び子機Ａ，Ｂ，Ｃの内のいずれかの装置から相手側装置に対して発呼する場合についても、当然に可能である。この場合には、相手先番号メモリ１４ａに発呼先である相手側装置の電話番号を記憶しておき、取次時に、その相手先番号メモリ１４ａの内容を取り次ぎ先である装置に表示するように構成しても良いし、或いは、相手先番号メモリ１４ａの内容を取り次ぎ先の子機へ送信するように構成しても良い。
【０１１０】
本実施例では、図５から図８に示すフローチャートにおいて、発信電話番号表示サービスによって送られる相手側装置の電話番号を相手先番号メモリ１４ａに書き込み、その相手先番号メモリ１４ａ内容を相手側装置と通話可能な装置に表示していた。しかしながら、相手先番号メモリ１４ａに書き込まれる相手側装置の電話番号は、必ずしも、発信電話番号表示サービスによって交換機２９から送られる電話番号に限られるものではなく、通話中情報通知サービスによって交換機２９から送られる相手側装置の電話番号を用いても良い。ここで、通話中情報通知サービスとは、親機１がいわゆるキャッチホンサービスに加入している場合、通話中に新たにかけてきた相手側装置の電話番号（発信者番号）を交換機２９から親機１へ送信するサービスである。
【０１１１】
本実施例のファクシミリ装置（親機）１では、Ｓ３８およびＳ８１の処理において、電話回線の閉結されている相手側装置と最後に通話可能であった装置に対応する着信エリアへ着信履歴は書き込まれる。しかし、これに代えて、かかる相手側装置と通話可能な時間が所定時間を超える装置に対応する着信エリアへ着信履歴を書き込むようにしても良い。このように構成すれば、通常、所定時間を超えて通話していた装置の使用者が相手側装置の目的とする通話相手であるので、かかる通話相手の使用する装置に対して、着信履歴を記憶することができるのである。また、かかる相手側装置との通話時間が最長である装置に対応する着信エリアへ着信履歴を書き込むように構成しても良い。このように構成すれば、通常、最も長く通話していた装置の使用者が相手側装置の目的とする通話相手であるので、かかる通話相手の使用する装置に対して、履歴情報を記憶することができるのである。
【０１１２】
本実施例では、Ｓ４３及びＳ７３の処理において、相手先番号メモリ１４ａの内容、即ち、電話回線の閉結されている相手側装置の電話番号が取り次ぎ先である子機へ送信された。しかし、これに代えて、予め、相手側装置の電話番号に対応つけて、その相手側装置の名称を記憶しておき、その記憶された相手側装置の名称を相手先番号メモリ１４ａの内容に替えて取り次ぎ先である子機へ送信するように構成しても良い。
【０１１３】
本実施例では、Ｓ１１、Ｓ３８及びＳ８１の処理において、着呼履歴もしくは着信履歴として、電話回線の閉結されている相手側装置の電話番号が用いられた。しかし、これに代えて、予め、相手側装置の電話番号に対応つけて、その相手側装置の名称を記憶しておき、その記憶された相手側装置の名称を着呼履歴もしくは着信履歴として記憶するように構成しても良い。
【図面の簡単な説明】
【０１１４】
【図１】本発明の一実施例であるファクシミリ（親機）装置の斜視図である。
【図２】上記ファクシミリ装置（親機）の電気的構成を示したブロック図である。
【図３】ＥＥＰＲＯＭ１３内の各メモリの構成を模式的に示した図である。詳細には、（ａ）は親機メモリの構成を模式的に示した図であり、（ｂ）は子機Ａメモリの構成を模式的に示した図であり、（ｃ）は子機Ｂメモリの構成を模式的に示した図であり、（ｄ）は子機Ｃメモリの構成を模式的に示した図である。
【図４】着信処理を示したフローチャートである。
【図５】受信時処理を示したフローチャートである。
【図６】取次処理を示したフローチャートである。
【図７】取次信号受信時処理を示したフローチャートである。
【図８】転送信号受信時処理を示したフローチャートである。
【図９】履歴情報送信処理を示したフローチャートである。
【符号の説明】
【０１１５】
１            ファクシミリ装置（親機）（電話装置の一部）
５            液晶表示器（ＬＣＤ）（表示手段）
１３          ＥＥＰＲＯＭ
１３ａ        親機メモリ
１３ｂ        子機Ａメモリ（履歴記憶手段の一部）
１３ｃ        子機Ｂメモリ（履歴記憶手段の一部）
１３ｄ        子機Ｃメモリ（履歴記憶手段の一部）
１４          ＲＡＭ
１４ａ        相手先番号メモリ（受信記憶手段，発呼記憶手段）
１４ｂ        親機フラグ（鳴動指定手段の一部）
１４ｃ        子機Ａフラグ（鳴動指定手段の一部）
１４ｄ        子機Ｂフラグ（鳴動指定手段の一部）
１４ｅ        子機Ｃフラグ（鳴動指定手段の一部）
１８          アンテナ（接続手段）
１９          ネットワークコントロールユニット（ＮＣＵ）（受信手段の一部）
２０          モデム（受信手段の一部）
２１          バッファ（受信手段の一部）
２９          交換機
３１，３２    電話回線
Ａ，Ｂ，Ｃ    コードレス電話装置（子機）（電話装置の一部）